(57)【要約】２種の成分、すなわちＩＬ−１２受容体のＩＬ−１２Ｒβ１又はＩＬ−１２Ｒβ２サブユニットのいずれかに対して特異的である抗原−結合領域を含んで成る１つの成分、及びＩＬ−１８受容体のＩＬ−１８Ｒ又はＡｃＰＬサブユニットのいずれかに対して特異的である抗原−結合領域を含んで成る他の成分を含んで成る二特異的モノクローナル抗体が、記載される。【特許請求の範囲】
【請求項１】
２種の成分、すなわちＩＬ−１２受容体のＩＬ−１２Ｒβ１又はＩＬ−１２Ｒβ２サブユニットのいずれかに対して特異的である抗原−結合領域を含んで成る１つの成分、及びＩＬ−１８受容体のＩＬ−１８Ｒ又はＡｃＰＬサブユニットのいずれかに対して特異的である抗原−結合領域を含んで成る他の成分を含んで成る二特異的モノクローナル抗体。
【請求項２】
前記抗原−特異的領域の１つがＩＬ−１８Ｒ１に対して特異的であり、そして他の１つがＩＬ−１２Ｒβ２に対して特異的である請求項１記載の二特異的モノクローナル抗体。
【請求項３】
前記抗原−特異的領域の１つがＡｃＰＬに対して特異的であり、そして他の１つがＩＬ−１２Ｒβ２に対して特異的である請求項１記載の二特異的モノクローナル抗体。
【請求項４】
前記抗原−結合領域の個々が異種ペプチドに付加され、それにより、ハイブリッド又は融合タンパク質が形成され、そして前記ハイブリット又は融合タンパク質が前記付加されたペプチドを通して会合される請求項１記載の二特異的モノクローナル抗体。
【請求項５】
個々の付加されるペプチドが、ロイシンジッパーの一部である請求項４記載の二特異的モノクローナル抗体。
【請求項６】
前記２種の成分が、化学的架橋により会合される請求項１記載の二特異的モノクローナル抗体。
【請求項７】
前記２種の成分が、一本鎖ポリペプチドを形成する請求項１記載の二特異的モノクローナル抗体。
【請求項８】
前記化学的架橋が、２種のＦｃ分子間に存在する請求項６記載の二特異的モノクローナル抗体。
【請求項９】
前記ＩＬ−１２及びＩＬ−１８受容体がヒトである請求項１記載の二特異的モノクローナル抗体。
【請求項１０】
請求項１記載の二特異的モノクローナル抗体及び医薬的に許容できるキャリヤーを含んで成る医薬組成物。
【請求項１１】
請求項１記載の二特異的モノクローナル抗体の製造方法であって、前記２種の成分を、それらを化学的に架橋することにより、それらを付加される異種ペプチドリンカーにより連結することにより、組換え方法により一本鎖線状ポリペプチド鎖を形成することにより、又はその個々が前記成分の１つを発現する、２種のハイブリドーマ細胞を融合することにより会合することを含んで成る方法。
【請求項１２】
異種ペプチドに付加されるＩＬ−１２受容体サブユニットに対して特異的である抗原−結合領域を含んで成る融合タンパク質、及び／又は異種ペプチドに付加されるＩＬ−１８受容体サブユニットに対して特異的である抗原−結合領域を含んで成る融合タンパク質をコードするキメラポリヌクレオチド。
【請求項１３】
請求項１２記載のキメラポリヌクレオチドを含んで成る発現ベクター。
【請求項１４】
請求項１３記載の発現ベクターを含んで成る宿主細胞。
【請求項１５】
二特異的抗体の製造方法であって、請求項１４記載の細胞を、前記両融合タンパク質が発現される条件下で培養し、そして前記タンパク質を収穫することを含んで成る方法。
【請求項１６】
請求項７記載の二特異的抗体をコードするポリヌクレオチド。
【請求項１７】
請求項１６記載のポリヌクレオチドを含んで成る発現ベクター。
【請求項１８】
請求項１７記載の発現ベクターを含んで成る宿主細胞。
【請求項１９】
一本鎖可溶性ヘテロダイマー受容体の製造方法であって、請求項１８記載の細胞を、前記一本鎖ヘテロダイマー受容体が発現される条件下で培養し、そして前記タンパク質を収穫することを含んで成る方法。
【請求項２０】
請求項１記載の二特異的モノクローナル抗体の製造方法であって、その個々細胞が前記２種の成分の１つを発現する、２種のハイブリドーマ細胞を融合することを含んで成る方法。
【請求項２１】
請求項１記載の二特異的モノクローナル抗体の製造方法であって、ＩＬ−１２受容体のサブユニットの細胞外ドメインを含んで成るポリペプチド、又はＩＬ−１８受容体のサブユイットの細胞外ドメインを含んで成るポリペプチドにより、ヒト抗体を生成することができるトランスジェニックマウスを免疫感作することを含んで成る方法。
【請求項２２】
請求項１記載の二特異的モノクローナル抗体を、哺乳類に投与することを含んで成る、ＩＬ−１２及び／又はＩＬ−１８の効果を阻害するための方法。
【請求項２３】
ＩＬ−１２及び／又はＩＬ−１８の発現、あるいはＩＬ−１２及び／又はＩＬ−１８受容体を有する細胞の過度又は不適切な活性、に関係する病理学的状態の処理方法であって、有効量の請求項１記載の二特異的モノクローナル抗体を、そのような処理の必要な患者に投与することも含んで成る方法。
【請求項２４】
前記患者がヒトである請求項２３記載の方法。
【請求項２５】
前記病理学的条件が、自己免疫機能不全又は炎症状態である請求項２３記載の方法。
【請求項２６】
前記病理学的条件が、リウマチ様関節炎又は多発性硬化症である請求項２３記載の方法。
【請求項２７】
哺乳類におけるＩＬ−１２及び／又はＩＬ−１８介在性炎症、あるいはＩＬ−１２及び／又はＩＬ−１８介在性免疫応答を抑制するための方法であって、有効量の請求項１記載の二特異的モノクローナル抗体を、そのような処理の必要な患者に投与することを含んで成る方法。
【請求項２８】
前記哺乳類がヒトである請求項２７記載の方法。
【請求項２９】
毒素又は治療剤をさらに含んで成る、有効量の請求項１記載の二特異的モノクローナル抗体を患者に投与することを含んで成る、そのような処理の必要な患者に、毒素又は治療剤を供給するための方法。
【請求項３０】
ＩＬ−１２及び／又はＩＬ−１８受容体サブユニットを発現する細胞を検出するための方法であって、そのような細胞を含むことができるサンプルと、ラベルされる請求項１記載の二特異的モノクローナル抗体とを接触せしめることを含んで成る方法。
【発明の詳細な説明】
【０００１】
発明の分野：
本発明は、例えばインターロイキン−１２及び／又はインターロイキン−１８受容体のサブユニットに対する特異性を有する二特異的抗体に関する。
【０００２】
発明の背景：
細胞毒性リンパ球成熟因子又はＮＫ細胞刺激因子とこれまで呼ばれているインターロイキン−１２（ＩＬ−２）、ＩＦＮ−γ（インターフェロンγ）−誘発因子とこれまで呼ばれているインターロイキン−１８（ＩＬ−１８）は、多くの生物学的活性を示すサイトカインである。
【０００３】
ＩＬ−１２及びＩＬ−１８の生物学的活性は、細胞表面、例えばＴ細胞、Ｂ細胞、ＮＫ細胞、又はマクロファージ、特にＴｈ前駆体上のそれらの同系受容体へのサイトカインの結合により介在される。ＩＬ−１２受容体は、少なくとも２種のサブユニット、すなわちＩＬ−１２Ｒβ１（また、β１鎖としても知られている）及びＩＬ−１２β２（また、β２鎖としても知られている）を含んで成る。ＩＬ−１８受容体は、次の少なくともサブユニットを含んで成る：ＩＬ−１８Ｒ（また、ＩＬ−１Ｒ−関連タンパク質、ＩＬ−１Ｒｒｐ、ＩＬ−１８Ｒｄ、２ＦＩ又は“結合鎖”としても知られている）及びＡｃＰＬ（また、アクセサリータンパク質−様、ＩＬ−１８−ＡｃＰＬ、ＩＬ−１８Ｒβ又は“シグナル鎖”としても知られている）。
【０００４】
発明の記載：
本発明は例えば、ＩＬ−１２受容体の少なくとも１つのサブユニット及び／又はＩＬ−１８受容体の少なくとも１つのサブユニットに対して向けられる多特異的抗体（例えば、ポリクローナル又はモノクローナル抗体）に関する。本明細書における議論は主にＩＬ−１２受容体サブユニットＩＬ−１２Ｒβ１及びＩＬ−１２Ｒβ２、及びＩＬ−１８受容体サブユニットＩＬ−１８Ｒ１及びＳｃＰＬに向けられるが、ＩＬ−１２又はＩＬ−１８が結合する他の受容体もまた包含されることが理解されるべきである。
【０００５】
本発明は、上記受容体のいずれかの組合せ、例えば２種のＩＬ−１２受容体サブユニット、２種のＩＬ−１８受容体サブユニット、１つのＩＬ−１２受容体サブユニット及び１つのＩＬ−１８受容体サブユニット、３又は４種の上記受容体サブユニット、等に対して向けられるマルチマー抗体を包含する。好ましい態様においては、抗体はモノクローナルであり、二特異的であり、そしてＩＬ−１２受容体の１つのサブユニット及びＩＬ−１８受容体の１つのサブユニット（例えば、ＩＬ−１２Ｒβ２及びＩＬ−１８Ｒ１、ＩＬ−１２Ｒβ２及びＡｃＰＬ、等）に対して向けられる。
【０００６】
“多特異的”抗体とは、少なくとも２種の異なった抗体特異性を有する抗体を本明細書において意味する。そのような抗体は、複数の特異性を有する単一の抗体（又は抗体フラグメント）、又は１又は複数の抗体（又は抗体フラグメント）の凝集体（個々は、１又は複数の異なった特異性を有する）であり得る。本明細書において使用される場合、抗原に対する抗体の特異的結合を言及する場合、用語、“〜に結合する”、“〜に対する結合特異性を有する”、“〜に対して特異的である”、及び“〜に対して向けられる”とは、相互交換でき、そして抗体が抗原（例えば、ポリペプチド、ポリペプチドフラグメント又はペプチド）における定義されるエピトープに選択的に又は優先的に結合することを意味する。
【０００７】
“二特異的”抗体とは、２種の異なった結合特異性を有する、単一の抗体又は抗体フラグメントを、本明細書においては意味する。すなわち、二特異的抗体は、２種の成分を含んで成り、それらの個々は、異なった抗原性標的物に対して特異的である結合領域を含んで成る。“結合領域”は、抗原−結合部位（抗原のための結合部位）を含んで成る抗体の一部（ポリペプチド又はペプチド）である。
【０００８】
本発明の“抗体”とは、ポリクローナル抗体、モノクローナル抗体、ハイブリッド又はキメラ抗体、一本鎖抗体、フラグメント、例えばＦａｂ， Ｆ（ａｂ’）， Ｆ（ａｂ）２又は同様のものを包含する。“抗体”は、いずれかの哺乳類から単離され得、例えばそれらはネズミ、部分的に又は十分にヒト適合されるか、又はヒトであり得；そしてそれらはいずれかの免疫学的結合剤、例えばＩｇＥ、ＩｇＭ、ＩｇＤ又は好ましくはＩｇＧを包含する。
【０００９】
本発明の１つの観点は、２種の成分、すなわちＩＬ−１２受容体のサブユニットに対して特異的である抗原−結合領域を含んで成る１つの成分、及びＩＬ−１８受容体のサブユニットに対して特異的である抗原−結合領域を含んで成る他の成分を含んで成る二特異的モノクローナル抗体であり、ここで前記２種の成分は１又は複数の化学的架橋により会合される。そのような二特異的抗体の例は、抗原結合領域が受容体サブユニットの細胞外ドメインを認識し、そして受容体の刺激を伴わないで、サイトカイン結合を阻止する抗体である。
【００１０】
本発明のもう１つの観点は、上記のような２種の成分を含んで成る二特異的モノクローナル抗体であり、ここで個々の成分の抗原結合領域は異種ペプチドに付加され、そして前記２種の成分は前記付加された異種ペプチドを通して会合される。
本発明のもう１つの観点は、ＩＬ−１２受容体のサブユニットに対して特異的な抗原結合領域、及びＩＬ−１８受容体のサブユニットに対して特異的な抗原結合領域を含んで成る二特異的モノクローナル抗体であり、ここで前記２種の領域は一本鎖ポリペプチドを形成する（その一部である）。
【００１１】
本発明はまた、抗体の使用方法、例えばＩＬ−１２及び／又はＩＬ−１８受容体を発現する細胞を含むことができるサンプルにおいてそのような細胞を検出するための方法に関し、ここで前記方法は、ラベルされる上記のような二特異的モノクローナル抗体と前記サンプルとを接触し、そして前記ラベルを検出することを含んで成る。
【００１２】
本発明はまた、過剰又は不適切な量のサイトカインを包含する、ＩＬ−１２及び／又はＩＬ−１８の発現、及び／又はＩＬ−１２及び／又はＩＬ−１８受容体を有する細胞の過度又は不適切な活性に関する状態（例えば、病理学的状態）を処理するか又は予防するための方法に関し、ここで前記方法は、有効量の上記二特異的モノクローナル抗体を、そのような処理の必要な患者に投与することを含んで成る。
【００１３】
本発明の多特異的（例えば、二特異的）抗体は、いずれかの適切な態様、例えば１）複数の受容体サブユニット又はそのフラグメントに対して特異的な抗体を個々に調製し、そして次に抗体又はその一部を、例えば化学的架橋により、種々の組み合わせで結合することによって；２）上記のように個々の抗体を調製し、そして次に、それらを、付加される成分、例えば異種ペプチドにより結合することによって；３）少なくとも２種の受容体サブユニット特異性を有する一本鎖抗体を調製するために組換え方法を用いることによって；又は４）トリオーマ、クアトローマ又は他のポリドーマを形成するために、受容体サブユニットの１つ、又はそのフラグメントに対して向けられる抗体をそれぞれ生成する、複数の異なった細胞系（例えば、ハイブリドーマ）を融合し、そして次に、その融合された細胞から分泌される多特異的（例えば、二特異的）抗体を単離することによって調製され得る。
【００１４】
所定の受容体サブユニット又はそのフラグメントに対して特異的な抗体は、いずれかの適切な方法に従って得られる。例えば、受容体又はフラグメントを単離し、必要なら、それを精製し、そしてそれにより動物を免疫化することができる。それらの方法のすべては、当業者にとっては従来通りである。
【００１５】
ＩＬ−１２受容体のＩＬ−１２Ｒβ１及びＩＬ−１２Ｒβ２受容体サブユニットは、マウス及びヒト源から精製され、特徴づけられ、クローン化され、そして配列決定されている。ＩＬ−１２Ｒβ１又はＩＬ−１２Ｒβ２を精製し、操作し、そして／又はクローン化するための方法に関しては、及び／又はそれらの配列の開示のためには、例えばＣｈｕａなど．， （１９９４） Ｊ． Ｉｍｍｕｎｏｌ． １５３， １２８； アメリカ特許第５，９１９，９０３号；Ｃｈｕａなど．， （１９９４） Ｊ． Ｉｍｍｕｎｏｌ． １５３， １２８−１３６； Ｃｈｕａなど．， （１９９５） Ｊ． Ｉｍｍｕｎｏｌ． １５５， ４２８６−４２９４； 及びＰｒｅｓｋｙなど． （１９９６） Ｐｒｏｃ． Ｎａｔｌ． Ａｃａｄ． Ｓｃｉ． ＵＳＡ ９３， １４００２−１４００７を参照のこと。
【００１６】
ＩＬ−１８受容体のＩＬ−１８Ｒ及びＡｃＰＬ受容体サブユニットはまた、ネズミ及びヒト源から特徴づけられ、クローン化され、そして配列決定されており、そしてそれらの多くから精製されており；そしてそれらは、他の哺乳類、例えばウシ、ブタ及び種々の非ヒト霊長類源から少なくとも特徴づけられている。ＩＬ−１８Ｒ及びＡｃＰＬを精製し、操作し、そして／又はクローン化するための方法及び／又はそれらの配列の開示に関しては、例えば、Ｄｉｎａｒｅｌｌｏ（１９９９）Ｊ． Ａｌｌｅｒｇｙ Ｃｌｉｎ． Ｉｍｍｕｎｏｌ． １０３， １１−２４； Ｔｏｒｉｇｏｅなど．， （１９９７） Ｊ． Ｂｉｏｌ． Ｃｈｅｍ． ２７２， ２５， ７３７−７４２； Ｐａｒｎｅｔなど．， （１９９６） Ｊ． Ｂｉｏｌ． Ｃｈｅｍ． ２７１， ３９６７−７０； ＥＰ８６４５８５号及び８５０９５２号、ＷＯ９７／３１０１０号、アメリカ特許第５，７７６，７３１号；Ｇｒｅｅｎｆｅｄｅｒなど．， （１９９５） Ｊ． Ｂｉｏｌ． Ｃｈｅｍ． ２７０， １３， ７５７−７６５； 又はＢｏｒｎなど．， （１９９８） Ｊ． Ｂｉｏｌ． Ｃｈｅｍ． ２７３， ２９， ４４５−４５０を参照のこと。
【００１７】
免疫原として使用され得る受容体サブユニットのフラグメントは、抗体受容体を誘発するいずれのものでもあり得る。好ましい態様においては、受容体の細胞外ドメインに対応するフラグメント（損なわれていない細胞においては、リガンド又は抗体への結合のために利用できる受容体の一部）が使用される。ＩＬ−１２及びＩＬ−１８受容体サブユニットの細胞外ドメインは、同定され、そして特徴づけられている。
【００１８】
例えば、ＩＬ−１２受容体については、ヨーロッパ特許７５７４６６Ａ２号、及びＩＬ−１８受容体サブユニットについては、ＷＯ９７／３１０１０号及びＢｏｒｎなど．， （１９９８） Ｊ． Ｂｉｏｌ． Ｃｈｅｍ． ２７３， ２９， ４４５−５０を参照のこと。細胞外ドメイン、そのフラグメント、及び前記ドメインを含んで成るポリペプチドは、従来の方法により（例えば、プロテアーゼにより、又は化学的分解により）、損なわれていない受容体サブユニットから生成され得るか、又は例えば下記及び例１に論じられるように、組換え的に調製され得る。天然に存在する細胞外形、例えば“誘発性（ｄｅｃｏｙ）”受容体がまた使用され得る。
【００１９】
受容体サブユニットポリペプチド又はそのフラグメントは、いずれかの種々の源、例えばインビボ源（例えば、肺、脾臓、上皮細胞、内皮細胞、介在性細胞、軟骨細胞、単球、顆粒球、リンパ球、神経細胞、等）；１又は複数のポリペプチドを発現する確立された細胞系（例えば、造血細胞、例えばリンパ球、末梢血液Ｔ細胞及びＮＫ細胞）；１又は複数のポリペプチドを分泌する細胞（例えば、リンパ腫細胞）；又はポリペプチドを発現し、そして任意には分泌する組換え細胞から単離され得る。
【００２０】
受容体サブユニット又はそのフラグメントを発現する組換え細胞は、従来の方法により調製され得る。そのような組換えクローンの生成における第１の段階として、受容体サブユニット又はそのブラグメントをコードするポリヌクレオチド（例えば、ＤＮＡフラグメント）は、種々の方法のいずれかにより生成され得る。例えば、それらは、ヒト及びネズミＩＬ−１８Ｒ（例えば、Ｐａｒｎｅｔなど．， 前記及びアメリカ特許第５，７７６，７３１号を参照のこと）；ヒト及びネズミＡｃＰＬ（例えば、Ｂｏｒｎなど．， 前記を参照のこと）；ヒト及びネズミＩＬ−１２Ｒβ１（例えば、Ｃｈｕａなど．， １９９４， １９９５， 前記を参照のこと）；又はヒト及びネズミＩＬ−１２Ｒβ２（例えば、Ｐｒｅｓｋｙなど．， １９９６前記を参照のこと）の公開された配列に基づいて選択され得る。
【００２１】
適切な制限酵素による大きなポリヌクレオチド（例えば、ゲノム配列、ｃＤＮＡ又は同様のもの）から分解され得る。もう１つの態様においては、受容体サブユニット、又はそのフラグメントをコードするポリヌクレオチドは、上記公開された配列に基づいて適切なプライマーを選択することによって、ＰＣＲ増幅により生成され得る。プライマーの選択、増幅のための条件、及び増幅されたフラグメントのクローニングを包含する、ＰＣＲ増幅の方法は従来通りである。
【００２２】
例えば、Ｉｎｎｉｓ、Ｍ．Ａ．など．， ｅｄｓ． ＰＣＲ Ｐｒｏｔｏｃｏｌｓ： ａ ｇｕｉｄｅ ｔｏ ｍｅｔｈｏｄｓ ａｎｄ ａｐｐｌｉｃａｔｉｏｎｓ， １９９０， Ａｃａｄｅｍｉｃ Ｐｒｅｓｓ， Ｓａｎ Ｄｉｅｇｏ， ＣＡ 及びＷｕなど．， ｅｄｓ．， Ｒｅｃｏｍｂｉｎａｎｔ ＤＮＡ Ｍｅｔｈｏｄｏｌｏｇｙ， １９８９， Ａｃａｄｅｍｉｃ Ｐｒｅｓｓ， Ｓａｎ Ｄｉｅｇｏ， ＣＡを参照のこと。もう１つの態様においては、受容体サブユニット又はそのフラグメントをコードするポリヌクレオチドフラグメントは、化学的合成により生成され得る。もちろん、上記組合せ又は非組み合わせ方法の組み合わせ、又は他の従来の方法がまた使用され得る。
【００２３】
受容体サブユニット又はそのフラグメントをコードするポリヌクレオチドが単離されると、それは、種々の調節要素の制御下で、種々の発現ベクター中にクローン化され、そして宿主、例えば原核生物、酵母、及び哺乳類、昆虫又は植物細部のような種々の細胞型において、又はトランスジェニック非ヒト動物において発現され得る。好ましい態様においては、発現されたポリペプチドは、精製を促進するために細胞により分泌される。天然又は異種リーダー配列（シグナルペプチド）が、分泌を促進するために使用され得る。
【００２４】
核酸のクローニング方法は、当業界においては通常且つ従来のことである。本出願に言及される分子生物学の方法、例えば核酸及び／又はタンパク質を単離し、クローニングし、修飾し、ラベルし、操作し、配列決定し、そして処理するか又は分析する方法を記載する一般的な文献については、例えばＳａｍｂｒｏｏｋ， Ｊ． など．， （１９８９） Ｍｏｌｅｃｕｌａｒ Ｃｌｏｎｉｎｇ， ａ Ｌａｂｏｒａｔｏｒｙ Ｍａｎｕａｌ， Ｃｏｌｄ Ｈａｒｂｏｒ Ｌａｂｏｒａｔｏｒｙ Ｐｒｅｓｓ， Ｃｏｌｄ Ｓｐｒｉｎｇ Ｈａｒｂｏｒ， ＮＹ； Ａｕｓｕｂｅｌ， Ｆ．Ｍ． など．， （１９９５） Ｃｕｒｒｅｎｔ Ｐｒｏｔｏｃｏｌｓ ｉｎ Ｍｏｌｅｃｕｌａｒ Ｂｉｏｌｏｇｙ， Ｎ．Ｙ．， Ｊｏｈｎ Ｗｉｌｅｙ ＆ Ｓｏｎｓ； Ｄａｖｉｓ など．（１９８６）， Ｂａｓｉｃ Ｍｅｔｈｏｄｓ ｉｎ Ｍｏｌｅｃｕｌａｒ Ｂｉｏｌｏｇｙ， Ｅｌｓｅｖｉｒ Ｓｃｉｅｎｃｅｓ Ｐｕｂｌｉｓｈｉｎｇ．， Ｉｎｃ．， Ｎｅｗ Ｙｏｒｋ； Ｈａｍｅｓ など． （１９８５）， Ｎｕｃｌｅｉｃ Ａｃｉｄ Ｈｙｂｒｉｄｉｚａｔｉｏｎ ＩＬ Ｐｒｅｓｓ； Ｄｒａｃｏｐｏｌｉ， Ｎ．Ｃ． など． Ｃｕｒｒｅｎｔ Ｐｒｏｔｏｃｏｌｓ ｉｎ Ｈｕｍａｎ Ｇｅｎｅｔｉｃｓ， Ｊｏｈｎ Ｗｉｌｅｙ ＆ Ｓｏｎｓ， Ｉｎｃ．； 及びＣｏｌｉｇａｎ， Ｊ．Ｅ．， など．， Ｃｕｒｒｅｎｔ Ｐｒｏｔｏｃｏｌｓ ｉｎ Ｐｒｏｔｅｉｎ Ｓｃｉｅｎｃｅ， Ｊｏｈｎ Ｗｉｌｅｙ ＆ Ｓｏｎｓ， Ｉｎｃ．を参照のこと。さらに、受容体タンパク質のクローニング及び特徴づけを特に記載する方法を開示する他の文献は、例えばアメリカ特許第５，９１９，９０３号、第５，５３６，６５７号及び第５，７７６，７３１号、ヨーロッパ特許８６４５８５号及びＷＯ９７３１０１０号を包含する。
【００２５】
受容体サブユニット又はそのフラグメントをコードする核酸はまた、トランスジェニック種を生成するために、植物又は動物（例えば、ネズミ種、ウサギ、ウシ、ブタ、ヤギ、非ヒト霊長類又は同様のもの）中にクローン化され得；そしてトランスジーンから発現される生成物が単離され得る。この目的のためのトランスジェニック生物を製造し、そして使用のための方法は、通常のことであり、そして例えば、次の文献に記載されている：
【００２６】
Ｈｏｇａｎなど．， （１９８６） Ｍａｎｉｐｕｌａｔｉｎｇ Ｔｈｅ Ｍｏｕｓｅ Ｅｍｂｒｙｏ． Ｃｏｌｄ Ｓｐｒｉｎｇ Ｈａｒｂｏｒ Ｐｒｅｓｓ； Ｋｒｉｍｐｅｎｆｏｒｔなど．， （１９９１） Ｂｉｏ／Ｔｅｃｈｎｏｌｏｇｙ ９， ８６； Ｐａｌｍｉｔｅｒ など．， （１９８５） Ｃｅｌｌ ４１， ３４３； Ｋｒａｅｍｅｒ など．， （１９８５） Ｇｅｎｅｔｉｃ Ｍａｎｉｐｕｌａｔｉｏｎ ｏｆ Ｔｈｅ Ｅａｒｌｙ Ｍａｍｍａｌｉａｎ Ｅｍｂｒｙｏ， Ｃｏｌｄ Ｓｐｒｉｎｇ Ｈａｒｂｏｒ Ｌａｂｏｒａｔｏｒｙ Ｐｒｅｓｓ； Ｈａｍｍｅｒ など．， （１９８５） Ｎａｔｕｒｅ ３１５， ６８０； Ｐｕｒｃｅｌ など．， （１９８６） Ｓｃｉｅｎｃｅ ２４４， １２８１； Ｗａｇｎｅｒ など．， アメリカ特許第５，１７５，３８５号ａｎｄ Ｋｒｉｍｐｅｎｏｒｔなど．， アメリカ特許第５，１７５，３８４号。
【００２７】
好ましくは、本発明の受容体サブユニット又はそのフラグメントは、例えばそれが天然において、例えば緩衝液において存在するよりも他の形で、再構成を待っている乾燥形で、キット又は医薬組成物の一部として、等で、“単離される”。
【００２８】
種々の従来の方法が、本発明の受容体サブユニット又はそのフラグメントを単離し、そして／又は精製するために使用され得る。所望する純度の程度は、タンパク質の意図される使用に依存する。例えば、受容体によりトランスフェクトされた細胞の粗調製物は、適切なモノクローナル抗体を検出できるスクリーニング方法が利用できる場合、抗体を生成するために使用され得る。典型的には、タンパク質が実質的に精製される。用語、“実質的に精製される”とは、本明細書において使用される場合、汚染性内因性物質、例えば他のタンパク質、脂質、炭水化物、核酸、及び天然において関係する他の生物学的材料を実質的に有さないタンパク質を言及する。
【００２９】
例えば、実質的に純粋な分子は、興味ある分子の少なくとも約６０％（乾量）、好ましくは約７０％、８０％、９０％、９５％又は９９％であり得る。受容体サブユニット又はそのフラグメントは、可溶性タンパク質として（好ましくは、培養溶液中に分泌された後）、又は封入体として細胞から回収され得、それから、受容体又はそのフラグメントは、例えば８Ｍのグアニジウム塩酸塩により安定的に抽出され得る。使用され得る従来の精製方法は、例えばイオン交換クロマトグラフィー、疎水性相互作用クロマトグラフィー、逆相クロマトグラフィー、ＨＰＬＣ及び／又はゲル濾過を包含する。
【００３０】
好ましい態様においては、ＩＬ−１２又はＩＬ−１８、又は適切なもう１つのリガンド；適切なレクチン、例えば小麦胚凝集素；又はＩＬ−１２及び／又はＩＬ−１８受容体に対して特異的な抗体を含むカラムと共に、親和性クロマトグラフィーが使用される。特に好ましい態様においては、タンパク質が、適切な親和性カラムに結合できる１つの成分、好ましくは分解性成分により“標識”される。例えば、それは、金属キレートクロマトグラフィーによる急速な精製を可能にするために、ポリＨｉｓ（例えば、Ｈｉｓ６）により；ストレプタビジンに結合し、そしてイミノビオチンにより溶離され得るＳｔｒｅｐ−標識により；アミロースに結合し、そしてマルトースにより溶離され得るマルトース結合タンパク質（ＭＢＰ）により；又は親和性クロマトグラフィーにより分離され得るそのようないずれか他の成分により標識され得る。
【００３１】
他方では、抗体が利用できるエピトープ、例えばＦＬＡＧ（商標） ペプチド、すなわちＡｓｐ−Ｔｙｒ−Ｌｙｓ−Ａｓｐ−Ａｓｐ−Ａｓｐ−Ａｓｐ−Ｌｙｓ（Ｅａｓｔｍａｎ Ｋｏｄａｋ Ｃｏ．， Ｓｃｉｅｎｔｉｆｉｃ Ｉｍａｇｉｎｇ Ｓｙｓｔｅｍｓ Ｄｉｖｉｓｉｏｎ， Ｎｅｗ Ｈａｖｅｎ， ＣＴから入手できる）によりサブユニットの１つ又は両者を標識することができる。他のそのような抗原性識別体は、アメリカ特許第５，０１１，９１２号及びＨｏｐｐなど．， （１９８８） Ｂｉｏ／Ｔｅｃｈｎｏｌｏｇｙ ６， １２０４に記載されている。親和性標識を用いる典型的な方法に関しては、例えばＲｅｃｏｍｂｉｎａｎｔ Ｐｒｏｔｅｉｎ Ｐｒｏｔｏｃｏｌｓ： Ｄｅｔｅｃｔｉｏｎ ａｎｄ Ｉｓｏｌａｔｉｏｎ， Ｅｄｉｔｅｄ ｂｙ Ｒｏｃｋｙ Ｓ． Ｔｕａｎ， Ｍｅｔｈｏｄｓ ｉｎ Ｍｏｌｅｃｕｌａｒ Ｂｉｏｌｏｇｙ， Ｖｏｌ． ６３， Ｈｕｍａｎａ Ｐｒｅｓｓ， １９９７を参照のこと。上記タイプの標識のいずれかの組合せが使用され得る。
【００３２】
好ましい態様においては、個々の受容体サブユニットが組換え細胞において、別々に発現される。受容体サブユニットが１又は複数の他の受容体サブユニットとの混合物として存在する他の方法に関しては、動物中に導入する前、個々の受容体サブユニットをそれぞれ単離する必要がある。そのような分離は、種々の方法のいずれか、例えば分離用非変性アクリルアミドゲルからの受動的溶離、又はクロマトグラフィー技法、例えば上記のような“標識された”分子の親和性クロマトグラフィーにより行われ得る。
【００３３】
タンパク質の純度は、標準の方法、例えばポリアクリルアミドゲル電気泳動、カラムクロマトグラフィー、及びアミノ末端アミノ酸配列分析を用いて決定され得る。
【００３４】
受容体サブユニット又はそのフラグメントが単離されると、それらは、動物（例えば、マウス、ウサギ、ハムスター、テンジュクネズミ、ヤギ、等）を免疫化するために使用され得、それにより、それらのタンパク質に対して特異的なポリクローナル抗体を生成する。ポリクローナル抗体の製造方法は、当業者に良く知られている。例えば、Ｇｒｅｅｎなど．， （１９９２） Ｐｒｏｄｕｃｔｉｏｎ ｏｆ Ｐｏｌｙｃｌｏｎａｌ Ａｎｔｉｓｅｒａ， ｉｎ Ｉｍｍｕｎｏｃｈｅｍｉｃａｌ Ｐｒｏｔｏｃｏｌｓ （Ｍａｎｓｏｎ， ｅｄ．）， ｐａｇｅ １−５ （Ｈｕｍａｎａ Ｐｒｅｓｓ）， 及びＣｏｌｉｇａｎなど．， （１９９２） Ｐｒｏｄｕｃｔｉｏｎ ｏｆ Ｐｏｌｙｃｌｏｎａｌ Ａｎｔｉｓｅｒａ ｉｎ Ｒａｂｂｉｔｓ， Ｒａｔｓ， Ｍｉｃｅ ａｎｄ Ｈａｍｓｔｅｒｓ， ｉｎ Ｃｕｒｒｅｎｔ Ｐｒｏｔｏｃｏｌｓ ｉｎ Ｉｍｍｕｎｏｌｏｇｙ， ｓｅｃｔｉｏｎ ２． ４． １を参照のこと。
【００３５】
モノクローナル抗体を生成することが所望される場合、種々の従来の方法のいずれかが使用され得る。例えば、Ｋｏｈｌｅｒなど．， （１９７５） ｎａｔｕｒｅ ２５６； ４９５； Ｃｏｌｉｇａｎ など．， （１９８８） Ｃｕｒｒｅｎｔ Ｐｒｏｔｏｃｏｌｓ ｉｎ Ｉｍｍｕｎｏｌｏｇｙ， ｓｅｃｔｉｏｎ ２．５．１−２．６．７；及びＨａｒｌｏｗなど．， （１９８８） Ａｎｔｉｂｏｄｉｅｓ： Ａ Ｌａｂｏｒａｔｏｒｙ Ｍａｎｕａｌ， ｐａｇｅ ７２６ （Ｃｏｌｄ Ｓｐｒｉｎｇ Ｈａｒｂｏｒ Ｐｕｂ．） を参照のこと。手短には、モノクローナル抗体は、抗原を含んで成る組成物をマウスに注射し、血清サンプルを除去することによって抗体生成の存在を確証し、Ｂリンパ球を得るために脾臓を除き、ハイブリドーマを生成するために前記Ｂリンパ球と骨髄腫細胞とを融合し、ハイブリドーマをクローニングし、抗原に対する抗体を生成する正のクローンを選択し、そしてハイブリドーマ培養物から抗体を単離することによって得られる。
【００３６】
モノクローナル抗体は、種々の十分な確立されている技法により、ハイブリドーマ培養物から単離され、そして精製され得る。そのような単離技法は、プロテイン−Ａ Ｓｅｐｈａｒｏｓｅ を有する親和性クロマトグラフィー、サイズ排除クロマトグラフィー、抗原親和性精製及びイオン交換クロマトグラフィーを包含する。例えば、Ｃｏｌｉｇａｎなど．， Ｃｕｒｒｅｎｔ Ｐｒｏｔｏｃｏｌｓ ｉｎ Ｉｍｍｕｎｏｌｏｇｙ， ｓｅｃｔｉｏｎｓ ２．７．１−２．７．１２ ａｎｄ ｓｅｃｔｉｏｎｓ ２．９．１−２．９．３； Ｂａｒｎｅｓなど．， （１９９２） Ｐｕｒｉｆｉｃａｔｉｏｎ ｏｆ Ｉｍｍｕｎｏｌｏｂｕｌｉｎ Ｇ （ＩｇＧ）， ｉｎ Ｍｅｔｈｏｄｓ ｉｎ Ｍｏｌｅｃｕｌａｒ Ｂｉｏｌｏｇｙ， Ｖｏｌ． １０， ｐａｇｅｓ ７９−１０４ （Ｈｕｍａｎａ Ｐｒｅｓｓ） を参照のこと。
【００３７】
モノクローナル抗体はまた、従来の方法を用いて、組換え的に生成され得る。例えば本発明の抗体は、結合免疫グロブリンライブラリーから単離された抗体に由来することができる。例えば、Ｂａｒｂａｓなど．， （１９９１） Ｍｅｔｈｏｄｓ： Ａ Ｃｏｍｐａｎｉｏｎ ｔｏ Ｍｅｔｈｏｄｓ ｉｎ Ｅｎｚｙｍｏｌｏｇｙ， Ｖｏｌ． ２， ｐａｇｅ １１９； Ｗｉｎｔｅｒ など．， （１９９４） Ａｎｎ． Ｒｅｖ． Ｉｍｍｕｎｏｌ １２， ４３３， 及びアメリカ特許第６，００４，５５５号を参照のこと。
【００３８】
モノクローナル抗体のインビトロ及びインビボ操作方法は、当業者に良く知られている。インビトロ操作は、適切な培養培地、例えば任意には、哺乳類血清、例えばウシ胎児血清又は微量元素及び増殖維持サプリメント、例えば正常なマウス腹膜滲出物細胞、脾臓細胞、骨髄マクロファージにより補充された、ダルベッコ変性イーグル培地又はＲＰＭＩ１６４０培地において行われ得る。インビトロ生成は、比較的純粋な抗体調製物を提供し、そして多量の所望する抗体を生成するために拡大を可能にする。
【００３９】
大規模ハイブリドーマ培養は、空中反応器において、連続撹拌反応器において、又は固定された又は閉じ込められた細胞培養において、均質懸濁培養により行われ得る。インビボ操作は、抗体生成腫瘍の増殖を引き起こすために、親細胞と組織適合できる哺乳類、例えば同系マウス中に細胞クローンを注入することによって行なわれ得る。任意には、動物は、注入の前、炭化水素、特に油、例えばプリスタンにより感作される。１〜３週間後、所望するモノクローナル抗体が、動物の体液から回収される。
【００４０】
ポリクローナル又はモノクローナル抗体のいずれかのフラグメントは、従来の方法を用いて、容易に生成され、そして単離され、そして／又は精製され得る。抗体フラグメントは、抗体のタンパク質加水分解により、又はフラグメントをコードするＤＮＡの宿主（例えば、Ｅ．コリ）における発現により調製され得る。抗体フラグメントは、従来の方法により、完全な抗体の酵素（例えば、ペプシン又はパパイン）消化により得られる。例えば、抗体フラグメントは、Ｆ（ａｂ’）２として示される５Ｓフラグメントを供給するために、ペプシンによる抗体の酵素分解により生成され得る。
【００４１】
このフラグメントは、チオール還元剤、及び任意には、ジスルフィド結合の分解に起因するスルフィドリル基についてのブロッキング基を用いて分解され、３．５Ｓ Ｆａｂ’一価フラグメント及びＦｃフラグメントが直接的に生成され得る。そのような方法は例えば、Ｇｏｌｄｅｎｂｅｒｇ、アメリカ特許第４，０３６，９４５号及び第４，３３１，６４７号、及びそこに含まれる引例により記載される。また、Ｎｉｓｏｎｈｏｆｆなど．， （１９６０）， Ａｒｃｈ． Ｂｉｏｃｈｅｍ． Ｂｉｏｐｈｙｓ． ８９， ２３０； Ｐｏｒｔｅｒ （１９５９）， Ｂｉｏｃｈｅｍ． Ｊ． ７３， １１９； Ｅｄｅｌｍａｎ など．， （１９６７） Ｍｅｔｈｏｄｓ ｉｎ Ｅｎｚｙｍｏｌｏｇｙ， Ｖｏｌ． １， ｐａｇｅ ４２２ （Ａｃａｄｅｍｉｃ Ｐｒｅｓｓ）； 及びＣｏｌｉｇａｎ など．， Ｃｕｒｒｅｎｔ Ｐｒｏｔｅｃｏｌｓ ｉｎ Ｉｍｍｕｎｏｌｏｇｙ， ｓｅｃｔｉｏｎ ２．８．１−２．８．１０及び２．１０．１−２．１０．４を参照のこと。
【００４２】
モノクローナル抗体は、従来の方法を用いて、部分的に又は完全にヒト適合され得る。例えば、ヒト適合された抗体は、ネズミ抗体（又はまさにその抗原−結合部位）の可変領域、及びヒト抗体に起因する不変領域、又はネズミモノクローナル抗体の抗原−結合部位及びヒト抗体に起因する可変フラグメント（抗原−結合部位を欠いている）を含んで成る。ヒト適合されたモノクローナル抗体に起因する抗体成分の使用は、ネズミ不変領域の免疫原性に関連する可能性ある問題を回避する。
【００４３】
ヒト適合されたモノクローナル抗体は、マウス免疫グロブリンのＨ及びＬ可変領域からのマウス相補的決定領域をヒト可変ドメイン中にトランスファーし、そして次に、ネズミの対応部分の骨格領域におけるヒト残基を置換することによって生成され得る。ネズミ免疫グロブリン可変ドメインをクローニングするための一般的な技法は、例えば次の文献に記載されている：Ｊｏｎｅｓ など． （１９８６）， Ｎａｔｕｒｅ ３２１， ５２２； Ｒｉｅｃｈｍａｎｎ など． （１９８８）， Ｎａｔｕｒｅ ３３２； Ｌｉｕ など． （１９８７）， Ｐｒｏｃ． Ｎａｔｌ． Ａｃａｄ． Ｓｃｉ． ＵＳＡ ８４， ３４３９； Ｌａｒｒｉｃｋ など． （１９８９）， Ｂｉｏ／Ｔｅｃｈｎｏｌｏｇｙ ７， ９３４； Ｗｉｎｔｅｒ など．， （１９９３）， ＴＩＰＳ １４， １３９； Ｊｏｎｅｓ など． （１９８６）， ｎａｔｕｒｅ ３２， ５２２； Ｖｅｒｈｏｙｅｎなど． （１９８８）， Ｓｃｉｅｎｃｅ ２３， １５３４； Ｃａｒｔｅｒ など． （１９９２）， Ｐｒｏｃ． Ｎａｔｌ． Ａｃａｄ． Ｓｃｉ． ＵＳＡ ８９， ４２８５； 及びＳａｎｄｈｕ （１９９２）， Ｃｒｉｔ． Ｒｅｖ． Ｂｉｏｔｅｃｈ． １２， ４３７。
【００４４】
好ましい態様においては、ヒト抗体は、本発明の受容体又はそのフラグメントを、免疫グルブリン遺伝子がヒトＩｇ遺伝子の大きな部分により置換されているトランスジェニックマウス中に導入することによって生成される。生成される抗体は十分にヒトであり；そしてトランスジェニックマウスが、抗体−分泌性ハイブリドーマを生成するために使用され得る。そのようなトランスジェニックマウスを用いる方法は、例えばＧｒｅｅｎなど．， （１９９４） Ｎａｔｕｒｅ Ｇｅｎｅｔ． ７， １３； Ｌｏｎｂｅｒｇなど．， （１９９４） Ｎａｔｕｒｅ ３６８， ８５６； 及びＴａｙｌｏｒなど．，（１９９４） Ｉｎｔ． Ｉｍｍｕｎｏｌ． ６， ５７９に記載されている。
【００４５】
ＩＬ−１２又はＩＬ−１８受容体の個々のサブユニットに対して向けられた抗体又はそのフラグメントが単離されると、種々の従来の、技術的に認識されているいずれかの方法が、本発明の二特異的（又は多特異的）抗体を形成するために、２種（又はそれ以上の）の異なった抗体成分を会合する（例えば、共有、又は非共有結合し；カップリングし；付着し；架橋し、連結し；接続し；接合する）ために使用され得る。ポリクローナル又は好ましくは、モノクローナル抗体、又はそのフラグメントが、出発材料として使用され得る。
【００４６】
非共有結合は、例えばロイシンジッパー、ビオチン／アビジン相互作用、水素結合、ファン・デル・ワールスカ、疎水性相互作用、等を包含する。中でも、可能な共有結合は、例えば天然において形成するジスルフィド結合（例えば、変性されたＦａｂ又はＦ（ａｂ’）２フラグメントの形成）、又は化学的架橋反応により形成される結合である。付着は、インビトロ（例えば、試験管において）、又は細胞内で生じる。
二特異的抗体を生成し、精製し、そして特徴づけるための典型的な方法は、例えばアメリカ特許第５，６０１，８１９号；第６，００４，５５５号及び第５，７６２，９３０号；及びＣｏａなど．， （１９９８） Ｂｉｏｃｏｎｊｕｇａｔｅ Ｃｈｅｍ． ９． ６３５−６４４に開示されている。
【００４７】
上記で示されたように、本発明の二特異的抗体を形成するために抗体成分を会合するために使用され得る一般的種類の方法は、１）例えば、化学的架橋による成分のカップリング；２）融合又はハイブリッドタンパク質を形成するために抗原―結合領域の個々への異種ペプチドの付加、及びその付加されたペプチドを通しての融合又はハイブリッドタンパク質の連結；３）２種の抗原特異性を含んで成る一本鎖抗体の生成；又は４）例えば、ハイブリドーマの体細胞融合を包含する。
【００４８】
二特異的抗体を生成するための第１の種類の方法においては、種々のタイプの成分が、二特異的抗体を形成するためにカップリングされ得る。例えば、２種の２価抗体（それぞれは、ＩＬ−１２又はＩＬ−１８受容体サブユニットの異なったサブユニットに対して特異的である）が、分離され得、そして次に、半分の分子が、従来の方法を用いて、二特異的抗体を形成するために共有的に再連結され得る。そのような二特異的抗体は、個々の親分子からの通常のＦｃ部分及び１つのＦａｂ部分を含んで成る。
【００４９】
従って、１つのＦａｂ部分は、受容体サブユニットの１つに対して特異的であり、そして他は異なった受容体サブユニットに対して特異的である。もちろん、出発材料は、損なわれていない二価抗体である必要はない。例えば、それらは、フラグメント、例えばＦａｂフラグメント、又は１又は複数のＨ鎖ＣＨ２及び／又はＣＨ３ドメインをさらに含んで成るＦａｂフラグメント（例えば、Ｆ（ａｂ’）２フラグメントであり得る。この方法により製造され得るいくつかのタイプの二特異的抗体の例示についての図１Ａを参照のこと。出発材料は、天然に存在する抗体から生成され得、又はそれらは組換え的に生成され得る。
【００５０】
種々の従来の方法のいずれかが、２種のポリペプチド鎖（例えば、抗体成分）を化学的にカップリングする（架橋する）ために使用され得る。共有結合は、存在する側鎖の直接的な縮重（例えば、システイン残基間でのジスルフィド結合の形成）により、又は外部の架橋分子の組みにより達成され得る。多くの二価又は多価剤が、ポリペプチドのカップリングにおいて有用である。抗体を化学的に架橋するために使用され得るいくつかの方法の記載については、例えば次の文献を参照のこと：
【００５１】
Ｃａｏなど． （１９８８） Ｂｌｏｃｏｎｊｕｇａｔｅ Ｃｈｅｍｉｓｔｒｙ ２， ６３５−６４４； Ｓｈａｌａｂｙ など． （１９９２） Ｊ． Ｅｘｐ． Ｍｅｄ． １７５， ２１７−２２５； Ｇｌｅｎｎｉｅ など． （１９８７） Ｊ． Ｉｍｍｕｎｏｌ． １３９， ２３６７−２３７５； Ｊｕｎｇ など． （１９９１） Ｅｕｒ． Ｊ． Ｉｍｍｕｎｏｌ． ２１， ２４３１−２４３５； ＶａｎＤｉｊｋなど． （１９８９） Ｉｎｔ． Ｊ． Ｃａｎｃｅｒ ４４， ７３８−７４３； Ｐｉｅｒｃｅ Ｉｍｍｕｎｏ Ｔｅｃｈｎｏｌｏｇｙ Ｃａｔａｌｏｇ ＆ Ｈａｎｄｂｏｏｋ （１９９１） Ｅ８−Ｅ３９； Ｋａｒｐｏｖｓｋｙ など． （１９８４） Ｊ． Ｅｘｐ． Ｍｅｄ． １６０， １６８６； Ｌｉｕ など． （１９８５） Ｐｒｏｃ． Ｎａｔｌ． Ａｃａｄ． Ｓｃｉ． ＵＳＡ ８２， ８６４８； Ｋｒａｎｚ など． （１９８１）， ＰＮＡＳ ７８， ５８０７； Ｐｅｒｅｚ など． （１９８６）， Ｊ． Ｅｘｐ． Ｍｅｄ． １６３， １６６−１７８； Ｂｒｅｎｎａｎ （１９８６） Ｂｉｏｔｅｃｈ． ４， ４２４； 及びアメリカ特許第４，６７６，９８０号，第６，０１０，９０２号及び第５，９５９，０８３号。
【００５２】
一般的に、使用される架橋別は、ε−アミノ基又はチオール基と反応性の二官能価剤である。それらの架橋剤は、次の２種のカテゴリーに分類され得る：ホモ−及びヘテロ−二官能価剤。ホモ二官能価試薬は、例えば遊離チオール（例えば、内部Ｈ鎖又はＦａｂジスルフィド結合の還元に基づいて生成される）と反応することができ、そして例えば、そのような遊離チオールを用いて２種のポリペプチド間にチオエーテル結合を形成することができる、５， ５’−ジチオビス（２−ニトロ安息香酸）（ＤＮＴＢ）、及びｏ−フェニレンジマレイミド（Ｏ−ＰＤＭ）を包含する。
【００５３】
ヘテロ二官能価試薬は、第２ポリペプチドとの反応を可能にするであろうポリペプチド上に反応基を導入することができる。例えば、Ｎ−スクシジンイミジル−３−（２−ピリジルジチオ）プロピオネート（ＳＰＤＰ）は、遊離チオール基を導入するために一次アミノ基と反応することができる。他の化学的架橋剤は、例えばカルボジイミド、ジイソシアネート、ジアゾベンゼン、ヘキサメチレンジアミン、ジマレイミド、グルタルアルデヒド、４−スクシンイミジル−オキシカルボニル−α−メチルα（２−ピリジルチオ）トルエン（ＳＭＰＴ）及びＮ−スクシンイミジル−Ｓ−アセチル−チオアセテート（ＳＡＴＡ）を包含する。
【００５４】
架橋剤の２種の反応基間のスペーサーアームは、種々の長さの及び化学的組成を有することができる。より長いスペーサーアームは、接合されたポリペプチドの良好な柔軟性を可能にし、そしてその橋におけるいくつかの特定の成分（例えば、ベンゼン基）は反応基に特別な安定性付与し、又は種々の観点の作用に対しての化学結合の高められた耐性（例えば、還元試薬に対するジスルフィド結合耐性）を付与することができる。ペプチドスペーサー、例えばペプチドリンカー又は下記に記載されるリンカーペプチドの使用がまた、企画される。
【００５５】
二特異的抗体を生成する第２のカテゴリーの方法においては、２種の抗原結合領域の個々（それぞれは、異なった受容体サブユニットに対して特異的である）は、もう１つの成分、例えば種々の異種ペプチドのいずれか、すなわち免疫グロブリンに存在しないペプチド（時々、“ペプチドリンカー”又は“融合ドメイン”としてとして本明細書においては、示される）に付加され、それによりハイブリッド又は融合タンパク質が生成される。次に、そのハイブリッド又は融合タンパク質は、前記付加された成分を通して会合される。付加された成分による多くのタイプの可能な会合のいくつかは、図１Ｂに示されている。
【００５６】
１つの態様においては、成分、例えばビオチン及びアビジン（ストレプタビジン）は抗原結合領域に複合体化され、それにより、ハイブリッド分子が形成され、そして従来の方法を用いて、ハイブリッド分子はビオチン及びアビジンを通して会合される。
【００５７】
好ましい態様においては、付加された分子は、異種ペプチド（“ペプチドリンカー”）である。中でも、使用され得る広範囲の種類のペプチドリンカーは、ＧＳＴ（グルタチオンＳ−トランスフェラーゼ）融合タンパク質、又はその二量体化モチーフ；ＰＤＺ二量化ドメイン；Ｆｋ−５０６ＢＰ（結合タンパク質）又はその二量体化モチーフ；ｐ５３の天然又は人工的ヘリックス−回転−ヘリックス二量体化ドメイン；及びプロテインＡ又はその二量体化ドメイン（ドメインＢ）である。最も好ましい態様においては、付加されたペプチドは、ロイシンジッパーの成分である。ロイシンジッパー成分は、いずれか適切な源、例ヒト転写因子ｃ−ｊｕｎ及びｃ−ｆｏｓから取られる。もちろん、そのような異種ペプチドは、抗体分子の末端に付加される必要はない。例えば、異種ペプチドは、Ｈ鎖の２種の不変ドメイン間に挿入され得る。
【００５８】
本発明の“ペプチドリンカー”は、天然に存在する（野生型）ペプチドリンカー（例えば、二量体化ドメイン）の変異体又はフラグメントを包含し、但し、ペプチドリンカーは適切な会合を形成する能力を保持すべきである。そのような変異体は、例えば１又は複数の天然に存在する（例えば、天然の突然変異を通して）、又は天然に存在しない（例えば、意図的な修飾により、例えば特定部位の突然変異誘発により）修飾、例えば挿入、欠失、及び／又は置換（保存性又は保存性）を有するペプチドを包含する。
【００５９】
ペプチドリンカーは好ましくは、例えば立体的妨害により個々の他の活性を妨害することから２種の抗体成分を妨げるために適切な程度の柔軟性を提供し、正しいタンパク質折りたたみを可能にし、そして必要なら、２種のたぶん広く間隔を開けられた同じ細胞上の受容体と抗体成分との相互作用を可能にするのに十分な長さであり；さらに、それは好ましくは、２種の抗体成分の細胞における安定した維持を可能にするのに十分な短さである。
【００６０】
従って、その長さ、アミノ酸組成及び／又はコンホメーションを変えることによって、例えばそれに、さらに他の“第２リンカー成分”又は“ヒンジ成分”を付加することによって、ペプチドリンカーを修飾することが所望され得る。中でも、多くのタイプの第２リンカー成分は、例えば小さな、好ましくは中性の及び極性又は非極性のアミノ酸、例えば種々の長さの及び組み合わせでのグリシン、セリン、トレオニン又はアラニン、ポリリシン；又は同様のものである。他方では、複数のリンカー及び／又は第２リンカー成分が使用され得る。柔軟ヒンジ領域、例えばヒトＩｇＧのヒンジ領域、又は一定の間隔でセリン又はトレオニンにより中断されるポリグリシン反復体を使用することが時々、所望される。
【００６１】
ペプチドリンカーの長さ及び組織は、二特異的抗体の所望する性質、例えば同系受容体に結合するその能力を最適化するために、当業者によって容易に選択され得る。ＩＬ−１２及び／又はＩＬ−１８受容体に結合するための従来のアッセイは、例えば次の文献に記載されている：Ｋｕｎｉｋａｔａなど． （１９９８）． Ｃｅｌｌ． Ｉｍｍｕｎｏｌ． １８９， １３５−１４３ （ＩＬ−１８Ｒ１）； Ｘｕなど． （１９９８）． Ｊ． Ｅｘｐ． Ｍｅｄ． １８８， １４８５−１４９２ （ＩＬ−１８Ｒ１）； Ｒｏｇｇｅ など． （１９９９）． Ｊ． Ｉｍｍｕｎｏｌ． １６２， ３９２６−３９３２ （ＩＬ−１２Ｒβ２）；Ｇｏｌｌｏｂなど． （１９９７）． Ｅｕｒ． Ｊ． Ｉｍｍｕｎｏｌ． ２７， ６４７−６５２ （ＩＬ−１２Ｒβ１）；Ｗｕなど． （２０００）． Ｅｕｒ． Ｊ． Ｉｍｍｕｎｏｌ． ３０， １３６４−１３７４ （ＩＬ−１２Ｒβ２）；及び例５−７。
【００６２】
ペプチドリンカーは、当業者に明らかであろう種々の手段、例えば上記に記載されるような化学的カップリング（必要なら、適切なアミノ酸基の誘導体化に続いて）；技術的に認識される方法によるペプチドの共有結合；ビオチン／アビジン相互作用を通しての結合；組換え方法；又はそれらの組合せにより、ハイブリッド又は融合タンパク質を形成するために抗原結合領域に付加され得る。本発明の“ハイブリッド”タンパク質は、抗原結合領域を含んで成る成分及びリンカーペプチドを含んで成る成分が、ペプチド結合よりも他の結合を通して（例えば、化学的カプリングにより、又はビオチン／アビジン相互作用を通して）連結されているタンパク質である。本発明の“融合”タンパク質は、そのような成分がペプチド結合により連結され、好ましくは組換え工程により達成されているタンパク質である。
【００６３】
組換え融合タンパク質の製造方法は、従来通りであり、そして例えば、Ａｓｈｋｅｎａｚｉなど．， （１９９１） ＰＮＡＳ ８８， １０５３５； Ｂｙｒｎなど．， （１９９０） Ｎａｔｕｒｅ ３４４， ６７７； Ｈｏｌｌｅｎｂａｕｇｈ など．， （１９９２） “Ｃｏｎｓｔｒｕｃｔｉｏｎ ｏｆ Ｉｍｍｕｎｏｇｌｏｂｕｌｉｎ Ｆｕｓｉｏｎ Ｐｒｏｔｅｉｎ”， ｉｎ Ｃｕｒｒｅｎｔ Ｐｒｏｔｅｃｏｌｓ ｉｎ Ｉｍｍｕｎｏｌｏｇｙ， Ｓｕｐｐｌ． ４， ｐｐ． １０．１９．１−１０．１９．１１； ＷＯ９３／１０１５１号；及びアメリカ特許第５，４５７，０３５号に記載されている。融合タンパク質の個々は単一の発現ベクターにより独立的に発現され得るか、又は複数の融合タンパク質が同じ発現ベクターにより発現され得る。好ましくは、融合タンパク質の２種の成分をコードする配列は、整合して存在する。
【００６４】
抗原結合領域は、付加された異種ペプチドに対して配向され、その結果、２種の抗体成分が会合される場合、抗原結合領域は、それらのＮ末端又はそれらのＣ末端を通して連結され、但し結合は、それらの同種受容体への１又は両抗原結合領域の結合能力を妨げるべきではない。好ましい態様においては、２種の抗原結合領域の結合能力を妨げるべきではない。好ましい態様においては、２種の抗原結合領域は、Ｎ末端近くに存在する、分子の“作用部分”（抗原結合部位）上の物理的制限を最少にするために、それらのＣ末端を通して連結される。可能なタイプの配向の例示のためには、図１Ｂを参照のこと。
【００６５】
上記のようにして形成される１対のハイブリッド又は融合分子が、非共有又は共有結語により、付加される成分を通してお互い結合され得る。好ましい態様においては、結合は細胞内で生じる。２種の異なった融合分子の１つをそれぞれコードする、２種の別々のキメラポリヌクレオチドが同じ宿主細胞中にトランスフェクトされ、そしてそこにおいて同時発現される。そのようにして生成された融合ポリペプチドは、細胞内で又は分泌の間、お互い連結すると思われる。次に、それらは細胞溶解物から精製され、又は好ましくは、細胞から分泌され、そして培養培地から精製される。２種の融合タンパク質は、同じ発現ベクターから、又は２種の異なった発現ベクターから発現され得る。一般的に、融合タンパク質は、トランスフェクタント（形質転換体）の選択を促進するために、選択マーカーにより標識される。
【００６６】
所望により、２種の組換え融合タンパク質の相対的量は、例えば異なった長さのプロモーターからそれらを発現することによって調節され得る。例えば、サブユニットＡの付加されたペプチドが高頻度でホモダイマーを形成する場合、サブユニットＢの付加されたペプチドは低頻度でホモダイマーを形成するが、ＡよりもサブユニットＢをより高いレベルで発現することによって、所望するヘテロダイマーの形成を誘発することができる。最適な相対量は、通常の実験により、実験的に決定され得る。
【００６７】
本発明はまた、上記のような融合タンパク質をコードするキメラポリヌクレオチド、そのような融合タンパク質を発現する宿主細胞、及び融合タンパク質が発現される条件下で細胞を培養し、そしてタンパク質を収穫する（回収する）ことを含んで成る、融合タンパク質の製造方法に関する。本発明の融合タンパク質はまた、上記のようなキメラポリヌクレオチドのインビトロ翻訳により製造され得る。本発明はまた、本発明の新規ハイブリッド又は融合タンパク質と免疫反応性の抗体（例えば、モノクローナル抗体）にも関する。
【００６８】
本発明のキメラポリヌクレオチドは、それらの発現を支配する、コード配列及び調節配列の両者を含むことができる。そのような融合タンパク質（例えば、抗原結合領域又はペプチドリンカー）の成分に対応する核酸配列は、その対応する野生型分子をコードする核酸に対して実質的な同一性を示し、例えばそれは、対照配列に対して少なくとも９０％の配列同一性を有し、又は好ましくは、少なくとも１０〜約１００又はそれ以上のヌクレオチドの比較窓に対して、少なくとも約９５％、又はより好ましくは、少なくとも約９８％の配列同一性を有する配列を含んで成る。２種の核酸が実質的な同一性を示すさらなる徴候は、２種の分子が選択される高い緊縮条件下でお互いハイブリダイズすることである。高い緊縮条件は、配列依存性であり、そして異なった環境パラメーターを伴なって異なるであろう。
【００６９】
一般的に、高い緊縮条件は、定義されるイオン強度及びｐＨで特定の配列に関しての熱溶融点（Ｔｍ）よりも約５℃〜２０℃低く選択される。Ｔｍは、標的配列の５０％が完全に適合されるプローブに対してハイブリダイズする温度（定義されるイオン強度及びｐＨ下で）である。典型的には、高い緊縮条件は、塩濃度がｐＨ７で少なくとも約０．２モル濃度であり、そして温度が少なくとも約６０℃であるそれらの条件であろう。本発明のポリヌクレオチドは、１又は複数の天然に存在するか又は天然に存在しない修飾、突然変異、多形現象、等を包含することができ；そして核酸は、遺伝子コードの縮重に影響を及ぼす塩基組成に関して、野生型の対応部分とは異なる。
【００７０】
二特異的抗体を生成するための第３カテゴリーの方法においては、組換え技法は、一本鎖二特異的抗体を生成するために使用される。一本鎖抗体結合タンパク質（ｓＦｖ）が、ＶＨ及びＶＬ鎖、又はそのフラグメント又は変異体を、ペプチドリンカーにより連結することによって、興味ある２種の抗原結合領域の個々のために生成され；そして次に、２組のｓＦｖが、二特異的一本鎖抗体（ｂｓＦｖ）を形成するために、ペプチドリンカーにより連結される。いくつかの一本鎖二特異的抗体の例示のためには図１Ｃを参照のこと。ｓＦｖを生成するための典型的な方法は例えば、次の文献に記載されている：
【００７１】
Ｗｈｉｔｌｏｗなど． （１９９１）， Ｍｅｔｈｏｄｓ； Ａ Ｃｏｍｐａｎｉｏｎ ｔｏ Ｍｅｔｈｏｄｓ ｉｎ Ｅｎｚｙｍｏｌｏｇｙ， Ｖｏｌ， ２， ｐａｇｅ ９７； Ｂｉｒｄ など． （１９８８）． Ｓｃｉｅｎｃｅ ２４２， ４２３−４２６； アメリカ特許第４，９４６，７７８号、Ｐａｃｋなど． （１９９３）， Ｂｉｏ／Ｔｅｃｈｎｏｌｏｇｙ １１， １２７１−７７； ａｎｄ Ｓａｎｄｈｕ （１９９２）． Ｃｒｉｔ． Ｒｅｖ． Ｂｉｏｒｅｃｈ． １２， ４３７． Ｍｅｔｈｏｄｓ ｆｏｒ ｇｅｎｅｒａｔｉｎｇ ｂｉｓｐｅｃｉｆｉｃ ｓｉｎｇｌｅ ｃｈａｉｎ ａｎｔｉｂｏｄｉｅｓ， ｉｎ ｐａｒｔｉｃｕｌａｒ， ａｒｅ ｄｅｓｃｒｉｂｅｄ， ｅ．ｇ． ｉｎ アメリカ特許第５，８９２，０２０号；Ｇｒｕｂｅｒなど． （１９９４）． Ｊ． Ｉｍｍｕｎｏｌ． １５２， ５３６８−７４； Ｍａｌｌｅｎｄｅｒ など． （１９９４）． Ｂｉｏｃｈｅｍｉｓｔｒｙ ３３， １０１００−１０１０８； Ｗｉｎｔｅｒなど． （１９９１）． Ｎａｔｕｒｅ ３４９， ２９３−２９９； Ｓｃｈｍｉｄｔ など． （１９９６）． Ｉｎｔｅｒｎａｔｉｏｎａｌ Ｊｏｕｒｎａｌ ｏｆ Ｃａｎｃｅｒ ６５， ５３８−５４６； 及びＴｈｉｒｉｏｎ など． （１９９６）． Ｅｕｒ． Ｊ． ｏｆ Ｃａｎｃｅｒ Ｐｒｅｖｅｎｔｉｏｎ ５． ５０７−５１１。
【００７２】
一本鎖二特異的抗体、すなわちダイアボディー（ｄｉａｂｏｄｉｅｓ）の変動がまた使用され得る。そのような分子の製造方法に関しては、例えばＨｏｌｌｉｇｅｒなど．， （１９９３） Ｐｒｏｃ． Ｎａｔｌ． Ａｃａｄ． Ｓｃｉ． ＵＳＡ ９０， ６４４−４８及びＣｏａなど．， （１９９８） Ｂｉｏｃｏｎｊｕａｔｅ Ｃｈｅｍ． ９， ６３５−６４４を参照のこと。
【００７３】
二特異的一本鎖抗体における２種のｓＦｖは、最適な相互作用のためにお互いから適切な距離で及び適切な配置での抗体成分の存在を可能にする、いずれかの長さ又はアミノ酸組成、最も好ましくは柔軟なループ構造のリンカーペプチドによりお互いから分離分離され得る。典型的なリンカーペプチドは、小さな好ましくは中性及び極性又は非極性のアミノ酸、例えばグリシン、セリン、トレオニン又はアラニン（種々の長さ及び組合せでの）；ポリリシン；又は同様のものを含む。
【００７４】
リンカーペプチドは、少なくとも１つのアミノ酸を有することができ、そして５００又はそれ以上のアミノ酸を有することができる。好ましくは、リンカーは約１００個以下のアミノ酸、最も好ましくは約１０〜３０個のアミノ酸である。柔軟なリンカードメイン、例えばヒトＩｇＧのヒンジ領域、又は一定の間隔でセリン又はトレオニンにより中断されるポリグリシン反復体が、単独で又は他の成分と組合して使用され得る。リンカーペプチドを選択し、そしてパラメーターを最適化するために、通常の方法が使用され得、その結果、２種の抗体成分が、最適な機能を可能にする、距離で及び配向で整列される。例えば、アメリカ特許第４，９３５，２３３号、第４，７５１，１８０号及び第５，８９２，０２０号を参照のこと。
【００７５】
本発明はまた、上記のような一本鎖二特異的抗体分子をコードするキメラポリヌクレオチド；そのようなタンパク質を発現する宿主細胞：そのような細胞を、タンパク質が発現される条件下で培養し、そして前記タンパク質を収穫する（回収する）ことを含んで成る、そのようなタンパク質の製造方法；及びそのような新規一本鎖ペプチドと免疫反応性の抗体（例えば、モノクローナル抗体）に関する。本発明の一本鎖二特異的抗体はまた、そのようなキメラポリヌクレオチドのインビトロ翻訳により製造され得る。
そのようなキメラポリヌクレオチド及びその変異体の性質は、融合タンパク質に対応するポリヌクレオチドに関して上記で論じられている通りである。
【００７６】
二特異的抗体を生成するための第４のカテゴリーの方法においては、２種の異なったクローン細胞系（例えば、ハイブリドーマ又はリンパ球）は、トリオーマ、クアドローマ又は他のポリドーマを形成するために融合され、そして分泌される二特異的抗体が単離される。そのような二特異的抗体は、個々の親細胞（例えば、ハイブリドーマ）からの通常のＦｃ部分及び１つのＦａｂ部分を含んで成る。そのような細胞を融合するための方法は、従来通りであり、そしてアメリカ特許第５，９５９，０８４号、第４，４７４，８９３号、第５，６４３，７５９号及び第５，１４１，７３６号に記載されている。
【００７７】
クアドローマを生成するために２種の確立されたハイブリドーマを融合するための典型的な方法は、次の文献に記載される：Ｍｉｌｓｔｅｉｎなど． （１９８３） Ｎａｔｕｒｅ ３０５， ５３７−５４０； Ｓｔｅａｒｓなど． （１９８６） Ｐｒｏｃ． Ｎａｔｌ． Ａｃａｄ． Ｓｃｉ． ＵＳＡ ８３． １４５３−１４５７； Ｓｕｒｅｓｈ など． （１９８６） Ｍｅｔｈｏｄｓ Ｅｎｚｙｍｏｌ． １２１， ２１０−２２８； Ｓｕｒｅｓｈ など． （１９８６） Ｐｒｏｃ． Ｎａｔｌ． Ａｃａｄ． Ｓｃｉ． ＵＳＡ ８３． ７９８９： 及びアメリカ特許第４，４７４，８９３号及び第５，６４３，７５９号。トリオーマを生成するために第２抗原により免疫化されたマウスからのリンパ球と１つの確立されたハイブリドーマを融合するための典型的な方法は、例えばＮｏｌａｎなど．， （１９９０） Ｂｉｏｃｈｅｍ． Ｂｉｏｐｈｙｓ． Ａｃｔａ １０４０， １−１１に記載されている。
【００７８】
そのような方法により生成される抗体集団は、ホモ特異的及び二特異的分子を含む。二特異的モノクローナルの存在についてアッセイするための方法は、従来通りであり、そして例えば橋ＥＬＩＳＡアッセイを包含する（例えば、Ｓｕｒｅｓｈなど．， （１９８６） Ｐｒｏｃ． Ｎａｔｌ． Ａｃａｄ． Ｓｃｉ． ＵＳＡ ８３， ７９８９−９３； Ｋｏｏｌｗｉｊｋなど．， （１９８８） Ｈｙｂｒｉｄｏｍａ ７， ２１７−２２５； 及びＤｅ Ｌａｕなど．， （１９８９） Ｊ． Ｉｍｍｕｎｏｌ． １４９， １８４０−４６ を参照のこと）。二重抗原ＥＬＩＳＡは、十分な量のそれぞれの抗原が入手できる場合に使用され得る。２種の異なったＨ鎖イソタイプがｂｓＭＡｂに存在する場合、イソタイプ性特異的試薬が、ハイブリッド分子の検出のために使用され得る。さらに、ｂｓＭＡｂを推定的に含むクローンの上清液が機能的に試験され得る。
【００７９】
上記二特異的抗体の他に、多特異的抗体は、３又はそれよりも多くの抗体成分（例えば、ＩＬ−１２受容体サブユニット及びＡｃＰＬの両者；ＩＬ−１２受容体サブユニットの両者及びＩＬ−１８受容体の両者、等に対して特異的な抗体）を、いずれかの組み合わせで連結するために、上記方法のいずれか又はその組合せを選択することによって製造され得る。可能性ある変動のいくつかは、図２Ａに要約されている。１つの態様においては、Ｆｃ領域が、第３の抗原結合領域を含むよう修飾され得る。
【００８０】
例えば、Ｆｃ領域の一部又はすべてが、第３の抗原結合領域により置換され得る。そのような修飾は、従来の遺伝子工学技法により達成され得る。他の態様においては、二価の一又は二特異的抗体が、お互い、並んで、頭−頭又は尾−尾の配向で架橋され得る。そのようなマルチマー抗体を製造し、そして使用するための典型的な方法に関しては、例えばＴｕｔｔなど．， （１９９１） Ｅｕｒ． Ｊ． Ｉｍｍｕｎｏｌ． ２１， １３５１−５８； Ｔｕｆｆなど．， （１９９１） Ｊ． Ｉｍｍｕｎｏｌ． １４７， ６０−６９； 及びＣａｏなど．， （１９８８） Ｂｉｏｃｏｎｊｕｇａｔｅ Ｃｈｅｍｉｓｔｒｙ ９， ６３５−６４４を参照のこと。
【００８１】
好ましくは、本発明の多特異的（例えば、二特異的）モノクローナル抗体は、上記で定義されたようにして“単離される”。本発明の二特異的モノクローナル抗体を単離し、そして／又は精製するための方法は、従来通りであり、そして一般的に、受容体サブユニット又はモノクローナル抗体の精製について上記に記載されるそれらの方法に類似する。中でも、使用され得る従来の精製方法は、例えば等電点電気泳動、親和性クロマトグラフィー、二重親和性クロマトグラフィー（例えば、連続的マウス抗−イディオタイプ抗−イソタイプモノクローナル抗体を用いる）、ヒドロキシアパタイトクロマトグラフィー、イオン交換クロマトグラフィー、擬似親和性方法、グラジエントチオフィリッククロマトグラフィー又は高性能液体クロマトグラフィーである。純度の所望する程度は、タンパク質の意図される使用に依存する。
【００８２】
細胞融合により調製される二特異的モノクローナル抗体は、ハイブリッドハイブリドーマ（又は他のポリドーマ）の上清液、又はハイブリッドハイブリドーマを注射されたマウスの腹水から得られる。
【００８３】
二特異的抗体の調製方法が一特異的及び二特異的抗体の形成（例えば、化学的カップリングの方法に従って）をもたらす場合、所望する二特異的抗体は、２種の形の間の示差を可能にする種々の方法のいずれか、例えば分離用、非変性アクリルアミドゲルからの受動的溶出、又は種々の従来のクロマトグラフィー技法、例えばアニオン交換、ＨＰＬＣ又はチオフィリック吸着クロマトグラフィーにより、一特異的抗体から分離され得る（例えば、Ｋｒｅｕｔｚなど．， （１９９８） Ｊ． Ｃｈｒｏｍａｔｏｇｒａｐｈｙ ７１４， １６１−１７０を参照のこと）。最も好ましい態様においては、個々の抗体成分は、異なった標識により標識され、そして二重標識され、二特異的抗体が単標識され一特異的抗体から、二重親和性クロマトグラフィーにより分離される。
【００８４】
本発明はまた、例えば検出、処理、研究用具、等への本発明の多特異的抗体の使用方法に関する。
【００８５】
本発明の抗体は、ＩＬ−１２及び／又はＩＬ−１８のためのアンタゴニスト又はアゴニストとして作用することができる。それらの２種のサイトカインは、別々に又は一緒に、同種受容体又はそのサブユニットへの結合に基づいて、中でも次の活性を誘発することができる：Ｔ１型ヘルパー細胞応答の促進；活性化されたＴ及びＮＫ細胞の細胞増殖の刺激；多くのサイトカイン、例えばＩＦＮ−γの生成及び／又は発現の休止及び活性化されたＴ−及びＮＫ−細胞による刺激；天然キラー（ＮＫ）細胞の細胞毒性の誘発；細胞溶解性Ｔ−細胞応答の増強；破骨細胞増殖の阻害；Ｊａｋ２、Ｔｙｋ２、Ｓｔａｔ３、Ｓｔａｔ４又は同様のもののチロシンリン酸化及び活性化；ＩＬ−１８受容体又はＩｌ−１２受容体、Ｆａｓリガンド又はＩＣＡＭ−１のアップレギュレーション；又はＭｇＤ８８、ＩＲＡＫ、ＴＲＡＦ−６、ＮＩＫ、ＩＫＫ又はＩκＢの活性化を包含することができる、ＮＦ−κＢの活性化。
【００８６】
１又は複数の上記活性を増強する（例えば、少なくともある程度、高める）抗体は、“アンタゴニスト”として作用する。１又は複数のそれらの活性を阻害する（例えば、ある程度低める）抗体は、“アンタゴニスト”として作用する。もちろん、抗体は、同種受容体に結合し、受容体へのサイトカインの接近を妨げ、さらに、１又は複数の上記活性を実際的に増強し、；そのような場合、抗体は、アゴニストであると思われる。
【００８７】
当業者は、抗体がアゴニストとして又はアンタゴニストとして作用するかどうかを、従来の方法を用いて、上記活性のいずれかについてアッセイすることにより容易に決定され得る。例えば、次の文献を参照のこと：Ｔｏｍｉｎｇａ など． （２０００）． Ｉｎｔｌ． Ｉｍｍｕｎｏｌ． １２． １５１−１６０； Ｙｏｓｈｉｍｏｔｏなど．， （１９９８）． Ｊ． Ｉｍｍｕｎｏｌ． １６１． ３４００−３４０７； Ｘｕ など． （１９９８）． Ｊ． Ｅｘｐ Ｍｅｄ． １８８． １４８５−１４９２； Ｋｕｎｉｋａｔａ など． （１９９８）． Ｃｅｌｌ． Ｉｍｍｕｎｏｌ． １８９． １３５−１４３； Ａｈｎ など． （１９９７）． Ｊ． Ｉｍｍｕｎｏｌ． １５８， １５４１−２１３１； Ｙｏｓｈｉｍｏｔｏ など． （１９９７）． Ｐｒｏｃ． Ｎａｔｌ． Ａｃａｄ． Ｓｃｉ． ＵＳＡ ９４， ３９４８−５３； Ｍｕｎｄｅｒなど． （１９９８）． Ｊ． Ｅｘｐ． Ｍｅｄ． １８７， ２１０３−２１０８； Ｏｔａｎｉ など． （１９９９）． Ｃｅｌｌ． Ｉｍｍｕｎｏｌ． １９８， １１１−１１９； Ｈｙｏｄｏなど． （１９９９）． Ｊ． Ｉｍｍｕｎｏｌ． １６２， １６６２−１６６８；
【００８８】
Ｏｋａｍｏｔｏなど． （１９９９）． Ｊ． Ｉｍｍｕｎｏｌ． ３２０２−３２１１； Ｌａｕｗｅｒｙｓ など． （１９９９）． Ｃｙｔｏｋｉｎｅ １１， ８２２−８３０； Ｂａｃｏｎ など． （１９９５）． Ｊ． Ｅｘｐ． Ｍｅｄ． １８１， ３９９−４０４ （Ｊａｋ２ ａｎｄ Ｔｙｋ２）； Ｊａｃｏｂｓｏｎなど． （１９９５）． Ｊ． Ｅｘｐ． Ｍｅｄ． １８１． １７５５−１７６２ （Ｓｔａｔ３ ａｎｄ Ｓｔａｔ４）； Ｋｏｊｉｍａ など． （１９９９）． Ｊ． Ｉｍｍｕｎｏｌ． １６２， ５０６３−５０６９ （ＮＦ−κＢ）；Ｋｏｊｉｍａなど． （１９９８）． Ｂｉｏｃｈｅｍ． Ｂｉｏｐｈｙｓ． Ｒｅｓ． Ｃｏｍｍｕｎ． ２４４， １８３−１８６ （ＩＲＡＫ ａｎｄ Ｔｒａｆ−６）； Ｏｈｔｓｕｋｉ など． （１９９７）． Ａｎｔｉｃａｎｃｅｒ Ｒｅｓ． １７． ３２５３−３２５８ （Ｆａｓ Ｌｉｇａｎｄ）； 及びＫｏｈｋａなど． （１９９８）． Ｊ． Ｌｅｕｋｏｃｙｔｅ Ｂｉｏｌ． ６４， ５１９−５２７ （ＩＣＡＭ−１）。
【００８９】
本発明の操作のいずれか特定の理論に結びつけることを所望しないが、本発明の抗体は、例えば１又は複数の次の手段で、ＩＬ−１２及び／又はＩｌ−１８受容体サブユニットを担持する細胞の生物学的機能を調節することができる。
抗体は、１又は複数のＩＬ−１２及び／又はＩｌ−１８受容体サブユニットの細胞外ドメインに結合し、そしてそれにより、受容体への同様のリガンドの結合を阻害する。
抗体は、１又は複数の上記機能のリガンドによる誘発を阻害する（抗体は、アンタゴニストとして作用し；抗体は、受容体機能を“中和し”、又は受容体機能を“阻止する”。
【００９０】
抗体は、１又は複数の上記機能を刺激する（抗体はアゴニストとして作用する）。
抗体は、１又は複数の受容体サブユニットの発現をアップ又はダウンレギュレートする。
抗体は、１又は複数のサイトカインの活性をアップ又はダウンレギュレートする。
抗体は、同種サイトカインの効果に対して、ＩＬ−１２及び／又はＩＬ−１８受容体サブユニットを担持する細胞を敏感にする（アゴニストとして作用する）。
【００９１】
抗体は、受容体サブユニットの１又は複数のシグナルトランスダクション機能を阻害し、そして／又は刺激する。
抗体は、受容体サブユニットとの複合体化に基づいて、細胞外活性を刺激し、又は阻害し、例えば血清補体を活性化し、そして／又は抗体細胞毒性を仲介する。
抗体は、それが毒性（免疫毒性）又は治療剤（例えば、薬剤）と会合される場合、毒性又は剤を細胞の表面に供給し、ここで次に、それは表面で作用し、または細胞により摂取される。
【００９２】
本発明は、ＩＬ−１２及び／又はＩＬ−１８の発現、又は受容体又はそのサブユニット、例えば過剰又は不適切な量のそれらのサイトカイン、及び／又はＩＬ−１２及び／又はＩｌ−１８受容体を有する細胞の過度の又は不適切な活性と関連する状態（例えば、病理学的状態）を処理し、又は妨げる方法に関し、ここで前記方法は、有効量の上記二特異的モノクローナル抗体をそのような処理の必要な患者に投与することを含んで成る。特に好ましい態様においては、前記状態は、ＩＬ−１２及びＩＬ−１８の両者の発現、及び／又はＩＬ−１２及びＩＬ−１８受容体を発現する（有する）細胞の過度の又は不適切な活性に関連する。
【００９３】
ＩＬ−１２及び／又はＩＬ−１８の活性は、独立して又は一緒に、上記に示される活性を包含する。本発明の二特異的モノクローナル抗体と受容体とを接触することによるＩＬ−１２及び／又はＩＬ−１８活性の阻止、増強又は修飾は、ＩＬ−１２及び／又はＩＬ−１８により介在されるそれらの又は他の活性のいずれかを調節することができ、そして従って、それらのサイトカインにより、直接的に又は間接的に介在される状態又は障害を改善するために使用され得る。障害は、ＩＬ−１２及び／ＩＬ−１８が障害を引き起こすか（直接的に又は間接的に）又は悪化する場合、ＩＬ−１２及び／又はＩＬ−１８により介在されると言われる。
【００９４】
本発明の二特異的モノクローナル抗体は、ＩＬ−１２のみにより、ＩＬ−１８のみにより、又はＩＬ−１２及びＩＬ−１８の両者により介在される障害を処理するために使用され得る。いずれかの特定の機構によって結びつけられることを所望しないが、ＩＬ−１２及びＩＬ−１８が相乗的に作用する場合（例えば、一定のＮＫ細胞、ＣＤ４＋ Ｔ細胞、Ｂ細胞又はマクロファージにおいて）、細胞は、本発明の二特異的モノクローナル抗体による処理に対して特に敏感である（受け入れやすい）。
【００９５】
さらに、再び、いずれの特定の理論によっても結びつけられることを所望しないが、本発明の二特異的モノクローナル抗体が、同じ細胞上に位置する（例えば、同時に、連続的に又は等位的に）ＩＬ−１２及びＩＬ−１８受容体に結合する条件下で、二特異的抗体は、一特異的抗体よりもそれらの細胞に対する高い結合活性を示す。従って、それらの及び他の環境下で（例えば、他の因子の存在下で）、一特異的に抗体の量よりもより低い量の二特異的抗体が所定の応答を誘発するために必要とされる。
【００９６】
中でも、本発明の二特異的モノクローナル抗体をその必要な患者に投与することによって処理されるか又は予防され得る多くのＩＬ−１２及び／又はＩＬ−１８関連の状態は、種々の炎症状態（例えば、慢性炎症）、免疫患者（例えば、自己免疫又はアロ抗原誘発された）、及びアレルギー性疾患である。中でも、処理されるか又は予防され得る状態は、内毒血症に関連する肝臓毒性、敗血性ショック、自己免疫脱髄性疾患、例えば多発性硬化症、リウマチ様関節炎、クローン病、ループス腎炎、乾癬、ぜん息、悪性貧血、萎縮性胃炎、Ｗｅｇｅｎｅｒ肉芽腫症、円板状エリテマトーデス、潰瘍性大腸炎、炎症性腫症患、甲状腺機能亢進症、自己免疫溶貧血、重症筋無力症、全身性エリテマトーデス、アジソン症、ホジキン症、種々の白血病（例えば、ＡＬＬ、ＳＬＬ、ＡＭＬ及びＣＭＬ）、ＨＩＶ感染、過剰のＩＦＮ−γの生成又は投与に起因する敗血性ショック、インスリン耐性及び幼年期開始糖尿病、アトピー性皮膚炎、及び急性又は慢性移植片拒絶（例えば、対宿主性移植片病）である。
【００９７】
好ましい態様においては、本発明の二特異的抗体は、中和性抗体である。“中和性”とは、受容体サブユニットへの抗体の結合が同種サイトカインの結合を阻害するか又は妨げ、そしてそれにより、サイトカインの活性を阻害することを意味する。本発明の二特異的抗体は、それが単独で投与される場合、中和できないが、しかしそれが第２抗体（例えば二特異的抗体が特異的でない受容体サブユニットに対して特異的な抗体）と共に同時投与される場合、中和性になることができる。
【００９８】
もう１つの態様においては、本発明の二特異的抗体が、その表面上でＩＬ−１２及び／又はＩＬ−１８受容体サブユニットを発現する細胞に毒素及び／又は治療物質（例えば、薬剤）を供給するために使用される。毒素又は治療物質と称するそのような“剤”は、それがそれらの標的物に結合する２種の抗原−結合領域の能力を実質的に妨げないような手段で抗体に結合される（例えば、接合される）。例えば、剤は、Ｆｃ領域に結合される。他方では、剤がペプチドの形で存在する場合、それはＦｃ領域のすべて又は一部を置換することができ、又はそれは第３抗体成分の抗原−結合領域の一部又はすべてを置換することができ、第３のＦａｂフラグメントに類似する構造を形成する。そのような構造の例示については図２Ｂを参照のこと。
【００９９】
本発明の剤は、その表面上でＩＬ−１２及び／又はＩＬ−１８受容体サブユニットを担持する細胞の発現を調節する（例えば、治療効果を提供し；細胞の生理学的活性を増強するか又は抑制し、又は細胞の増殖、殺害、破壊、排除、制御、修飾、等の阻害又は抑制を達成する）いずれかの物質であり得る。いずれかの効果的剤、例えば一般的に、上記に示される状態を処理するために使用される剤が使用され得る。
【０１００】
中でも、使用され得る多くの毒性は、例えばリシン（例えば、そのＡ及び／又はＢ鎖、又は脱グルコシル化された形）、毒性レクチン、ジフテリア毒性、シュードモナス・アエルギノサからの外毒素、アブリン、モデクシン、ボッリナ毒素、α−アマニタン、ヤマゴボウ抗ウィルスタンパク質（ＰＡＰ、例えばＰＡＰＩ， ＰＡＰＩＩ及びＰＡＰ−Ｓ）、リボソーム阻害タンパク質、特に大麦、小麦、トウモロコシ、ライ麦又はゲロニン（ｇｅｌｏｎｉｎ）のリボソーム阻害タンパク質、又はリボソーム不活性糖タンパク質（ＧＰＩＲ）である。
【０１０１】
そのような毒性のフラグメント、サブユニット、ムテイン、擬似体、変異体及び／又は類似体はもちろん、当業者に知られており、そして本発明により包含される。それらの毒性性質を保持するすべてのそのような変異体は、本発明に従って使用されるであろうことが考慮される。多くの可能な治療薬剤、例えば種々の免疫抑制剤又は免疫調節剤、例えばデキサメタゾン、シクロスポリン又はＦＫ５０６のいずれかが使用され得る。
【０１０２】
そのような剤は、本明細書に記載されるいずれかのタイプの方法、例えば化学的カップリング、ビオチン／アビジン相互作用又はペプチドリンカーを通しての結合、組換え方法、等により本発明の二特異的抗体に結合され得る。
もちろん、そのような毒素又は治療成分に接合される抗体は、中和する（受容体へのサイトカインの結合を阻止する）必要はない。むしろ、それらは標的細胞に剤を供給するよう作用することができ、その結果、その剤は、細胞の表面でその効果を発揮し、又は細胞中に組み込まれ得る。
本発明の抗体は、それらが毒素又は治療剤と会合されても、又はされなくても、単独で又は他の治療材と組合して投与され得る。
【０１０３】
当業者は、種々の適切なインビトロ又は細胞培養アッセイ、又は動物方法のいずれかにより、本発明の二特異的抗体の活性を測定することができる。いくつかのそのようなアッセイは本明細書に論じられる。さらなるインビボ方法は、例えば移植片−宿主反応を評価するためのシステム（例えば、Ｆａｎｓｌｏｗなど．， （１９９０） Ｓｃｉｅｎｃｅ ２４８， ７３９−７４１を参照のこと）、及び自己免疫脱髄性疾患、例えば多発性硬化症のための動物モデル（例えば、ＥＡモデル）を包含する。
【０１０４】
ＭＳの動物モデルの記載については、例えば、Ｇｏｌｄ など． （２９９９）， Ｍｏｔ． Ｍｅｄ． Ｔｏｄａｙ ６， ８８−９１ ａｎｄ Ｓｗａｎｂｏｒｇ （１９９５）． Ｃｌｉｎ． Ｉｍｍｕｎｏｌ． Ｉｍｍｕｎｏｐａｔｈｏｌ． ７７， ４−１３． Ｆｏｒ ａ ｄｅｓｃｒｉｐｒｉｏｎ ｏｆ ｓｏｍｅ ｍｅｔｈｏｄｓ ｏｆ ｕｓｉｎｇ ｔｈｅ ＥＡＥ ａｎｉｍａｌ ｍｏｄｅｌ． Ｓｅｅ， ｅ．ｇ．， Ｌｅｏｎａｒｄ など． （１９９５）． Ｊ． Ｅｘｐ． Ｍｅｄ． １８１， ３８１−３８６ ａｎｄ Ｗｉｌｄｂａｕｒｎ など． （１９９８）． Ｊ． Ｉｍｍｕｎｏｌ． １６１， ６３６８−６３７４．） を参照のこと。また、Ｄｉｎａｒｅｌｌｏ（１９９９）Ｊ． Ａｌｌｅｒｇｙ Ｃｌｉｎ． Ｉｍｍｕｎｏｌ． １０３， １１−２４も参照のこと。
本発明の二特異的抗体は、従来の用量及び供給方法、例えば他の適合できる治療剤について記載されるそれらの方法を用いて投与され得る。
【０１０５】
投与されるべき用量は、当業者に知られている従来の方法により決定され得る。例えば、Ｔｈｅ Ｐｈａｒｍａｃｏｌｏｇｉｃａｌ Ｂａｓｉｓ ｏｆ Ｔｈｅｒａｐｅｕｔｉｃｓ， Ｇｏｏｄｍａｎ ａｎｄ Ｇｉｌｍａｎ， ｅｄｓ．， Ｍａｃｍｉｌｌａｎ Ｐｕｂｌｉｓｈｉｎｇ Ｃｏ．， Ｎｅｗ Ｙｏｒｋを参照のこと。一般的に、効果的な用量は、所望する効果、例えば天然の受容体への内因性ＩＬ−１２及び／又はＩＬ−１８の結合の阻止、又は薬剤への毒素の供給を生成するのに十分な量である。その用量は、副作用、例えば所望しない交差反応、過敏性反応及び同様のものを引き起こすほど多量であるべきではない。
【０１０６】
考慮されるべき要因は、包含される特定の抗体／剤の活性、作用のその代謝安定性及び長さ、投与のモード及び時間、薬剤の組合せ、排泄の速度、処理される種、及び治療を受ける宿主の年齢、体重、一般的な、性別、ダイエット及び特定の疾病状態の重症度を包含する。例えば、本発明の二特異的抗体についての適切な治療レジメは、約０．１ｍｇ／ｋｇ〜約１０ｍｇ／ｋｇの用量の患者への投与を包含する。
【０１０７】
適切な投与方法は、非経口及び経口投与路を包含する。非経口路は、例えば静脈内、門脈内、皮下、腹腔内、脊椎内、鞘内、脳血管内、頭側内、胸膜内又は他の注射路を包含する。経口路は、口、鼻、経皮、肺、直腸、頬、膣、眼を包含する。投与はまた、連続的注入、局部投与、移植体（ゲル、膜又は同様のもん）からの持効性放出、及び／又は静脈内注射によってであり得る。
【０１０８】
種々の投与態様のために有用な医薬組成物のための生成、例えば賦形剤、希釈剤及び／又はキャリヤーは、当業界において従来通りであり、そして、例えばＲｅｍｉｎｇｔｏｎ’ｓ Ｐｈａｒｍａｃｅｕｔｉｃａｌ Ｓｃｉｅｎｃｅｓ， １８ｔｈ ｅｄ．， Ｍａｃｋ Ｐｕｂｌｉｓｈｉｎｇ Ｃｏｍｐａｎｙ （１９９０） に記載されている。二特異的抗体は、例えば薬理学的に許容できる液体、固体又は半固体において配合され、キャリヤー又は標的分子（例えば、抗体、ホルモン、成長因子、等）に連結され、そして／又はインビボ投与の前、リポソーム、マイクロカプセル又は調節された放出調製物（ヘテロダイマー受容体を発現する細胞を包含する）中に組み込まれ得る。
【０１０９】
本発明はまた、ＩＬ−１２及び／又はＩＬ−１８受容体サブユニットを発現する細胞の検出方法、及び／又は受容体サブユニットの検出方法に関し、ここで前記方法は、そのような細胞（又は受容体サブユニット）を含むことができるサンプルと、ラベルされる（すなわち、検出できるか成分を含んで成る）、本発明の二特異的モノクローナル抗体とを接触することを含んで成る。典型的には、受容体サブユニットを発現する細胞のおいては、受容体サブユニットの細胞外ドメインは細胞の表面で存在し、そして抗体への結合のために利用できる。
【０１１０】
従来の方法は、抗体をラベリングし、そして検出するために使用され得る。典型的なラベルは、例えば放射性同位体、放射性核種、リン光又は蛍光体、生物発光マーカー、染色又は同様のものを包含する。そのようなアッセイはもちろん、定量的であり得る。いずれかの理論によって結びつけられることを所望しないが、本発明の二特異的抗体が両標的受容体を担持する細胞について特に高い結合活性を示し、そして従って、受容体の１つのみを発現する細胞よりもむしろそのような細胞を特異的にラベルすることが提案されている。
【０１１１】
本発明の１つの態様においては、アッセイは、興味ある剤が細胞（例えば、ヒト又はネズミ細胞；試験管において、培養において、又は動物において）の表面上のＩＬ−１２及び／又はＩＬ−１８受容体サブユニットの量の上昇又は低下を引き起こすかどうか、及び／又はそれが受容体サブユニットの生物学的活性（例えば、抗体に結合するその能力）を調節するかどうか（阻害するか又は増強するかどうか）を決定するために使用される。
【０１１２】
他方では、アッセイは、サイトカイン又は抗体への結合のためには利用できる遊離受容体の量をモニターすることによって（サイトカインにより飽和されなかった受容体のレベルを決定するために）、細胞におけるＩＬ−２及び／又はＩＬ−１８の量を間接的にモニターすることができる。本発明のアッセイは、例えば剤の実験的特徴づけのために；体液におけるＩＬ−１８のレベルにより示され得る疾病の診断（例えば、放射線診断）のために；又は処理の効果をモニターするために使用され得る。
【０１１３】
さらなる労力を伴なわないで、当業者は、前述の記載を用いて、本発明のその十分な程度に利用すると思われる。従って、前述の好ましい特的の態様は、単なる例示的であって、開示の残りを制限するものではない。
前述及び次の例においては、すべての温度は℃で示され；そして特にことわらない限り、すべての部及び％は、重量によってである。
上記又は下記、及び図に示されるすべての出願、特許及び公報のすべての開示は、引用により本明細書に組み込まれる。
【０１１４】
実施例
１．十分な長さのヒトＩＬ−１２及びＩＬ−１８受容体のサブユニットのクローニング
ヒトＩＬ−１２及びＩＬ−１８受容体サブユニット（例えば、十分な長さの分子）を、遺伝子特異的プライマー、及びｃｏｎＡ−活性化され；ＩＬ−１２及びＩＬ−１８刺激され、ＣＤ１４−消耗されたＰＢＭＣから単離された全ＲＮＡを用いて、逆転写ポリメラーゼ鎖反応（ＲＴ−ＰＣＲ）により、標準の方法に従ってクローン化する。ＲＴは、オリゴ−ｄＴプライマーを用いて、Ｃｌｏｎｔｅｃｈ “Ａｄｖａｎｔａｇｅ ＲＴ−ｆｏｒ−ＰＣＲ ｋｉｔ”により行われ、そして続いて、ＰＣＲは、コード配列の５’及び３’末端に対応するプライマーを用いて行われる。十分な長さのｃＤＮＡを、プライマー中に構築された制限酵素部位を通して、真核細胞発現ベクターｐｃＤＮＡ３．１（−）ＭＹＣＨＩＳＢ又はｐｃＤＮＡ３．１ （−） ＰＵＲ （Ｉｎｖｉｒｏｇｅｎ） 中にクローン化する。例えば、十分な長さのヒトＩＬ−１２Ｒβ２及びＩＬ−１８Ｒ ｃＤＮＡをクローン化する。
【０１１５】
ヒトＩＬ−１２Ｒβ１：十分な長さのヒトＩＬ−１２Ｒβ１ ｃＤＮＡ （受託番号Ｕ０３１８７号）の読み取り枠は、ＡＡ１〜２４のシグナルペプチドと共に６６２ＡＡのタンパク質をコードする、位置６５〜２１５１である。
ヒトＩＬ−１２Ｒβ２：十分な長さのヒトＩＬ−１２Ｒβ２ ｃＤＮＡ （受託番号Ｕ６４１９８号）の読み取り枠は、ＡＡ１〜２７のシグナルペプチドと共に８６２ＡＡのタンパク質をコードする、位置６４１〜３２２９である。
【０１１６】
ヒトＩＬ−１８Ｒ：十分な長さのヒトＩＬ−１８Ｒ ｃＤＮＡ （受託番号Ｕ４３６７２号）の読み取り枠は、ＡＡ１〜１９のシグナルペプチドと共に５４１ＡＡのタンパク質をコードする、位置２５〜１６５０である。
ヒトＡｃＰＬ：十分な長さのヒトＡｃＰＬ  ｃＤＮＡ （受託番号ＡＦ０７７３４６号）の読み取り枠は、ＡＡ１〜１４のシグナルペプチドと共に５９９ＡＡのタンパク質をコードする、位置４８４〜２２８３である。
【０１１７】
２．ヒトＩＬ−１２及びＩＬ−１８受容体サブユニットの細胞外ドメインのクローニング
ヒトＩＬ−１２及びＩＬ−１８受容体サブユニットの細胞外ドメインを例１に記載のようにしてクローン化し、但し、３’プライマーは、それぞれのタンパク質の細胞外ドメインのＣ−末端に対応する。例えば、ヒトＩＬ−１２Ｒβ２及びＩＬ−１８Ｒ ｃＤＮＡの細胞外ドメインをクローン化する。
ヒトＩＬ−１２Ｒβ１：ヒトＩＬ−１２Ｒβ１の細胞外ドメインは、ＡＡ１〜５４０である。
ヒトＩＬ−１２Ｒβ２：ヒトＩＬ−１２Ｒβ２の細胞外ドメインは、ＡＡ１〜６２２である。
ヒトＩＬ−１８Ｒ：ヒトＩＬ−１８Ｒの細胞外ドメインは、ＡＡ１〜３２９である。
ヒトＡｃＰＬ：ヒトＩＬ− ＡｃＰＬの細胞外ドメインは、ＡＡ１〜３５６である。
【０１１８】
３．ヒトＩＬ−１２又はＩＬ−１８受容体サブユニットに対するモノクローナル抗体の生成
細胞表面受容体分子に対する抗体（例えば、中和抗体）の生成方法は、免疫学の分野において十分に記録されており、そして例えば、Ｍｅｔｈｏｄｓ ｉｎ Ｍｏｌｅｃｕｌａｒ Ｂｉｏｌｏｇｙ， Ｖｏｌ． ４５， Ｍｏｎｏｃｌｏｎａｌ Ａｎｔｉｂｏｄｙ Ｐｒｏｔｅｃｏｌｓ， ｅｄ． ｂｙ Ｄａｖｉｓ， Ｗ．Ｃ．， Ｈｕｍａｎ Ｐｒｅｓｓ， Ｉｎｃ．， １９９５， 及びＣｕｒｒｅｎｔ Ｐｒｏｔｏｃｏｌｓ ｉｎ Ｉｍｍｕｎｏｌｏｇｙ， ｅｓ．， ｂｙ Ｃｏｌｉｇａｎ， Ｊ．Ｅ． など．， Ｊ． Ｗｉｌｅｙ ＆ Ｓｏｎｓ， １９９２に記載されている。１つの免疫化方法は、細菌、昆虫細胞、酵母又は哺乳類細胞において発現される、受容体の精製された細胞外ドメインである抗原をマウスに注射することである。
【０１１９】
好ましい免疫化方法は、マウスプレ−Ｂ細胞系において十分な長さの組換えヒト受容体を発現し、そして次に、前記細胞系が由来する同じマウス株（又は密接に関連する）中に、抗原としての安定してトランスフェクトされたマウス細胞を注入することである。この方法は、ＩＬ−１２Ｒβ２について記載されている（Ｇｏｌｌｕｂ， Ｊ．Ａ． など．， Ｅｕｒ． Ｊ． Ｉｍｍｕｎｏｌ． ２７： ６４７−６５２， １９９７）。他の情況においては、他の種からの細胞は、ＰＨＡ−活性化されたヒトＰＢＭＣを用いてＩＬ−１２受容体について記載のようにして、使用さえ得る（Ｇａｔｅｌｙなど．， アメリカ特許第５，８５３，７２１号、Ｄｅｃ． ２９， １９９８）。免疫化されたマウスは、追加免疫化され、そして標準の方法に従って放血される。
【０１２０】
マウスを、ヒトＩＬ−１２Ｒβ１及びＩＬ−１２Ｒβ２（ＩＬ−１２受容体）又はヒトＩＬ−１８Ｒ及びＡｃＰＬ（ＩＬ−１８受容体）により安定してトランスフェクトされたマウスプレ−Ｂ細胞系により免疫化する。安定してトランスフェクトされた細胞上の機能的受容体の発現を、放射性ラベルされたリガンドによる結合研究により確かめる。免疫化されたマウスからの血清を、免疫化のために使用される同じ細胞系を用いて、標的受容体（ＩＬ−１２又はＩＬ−１８）に対する抗体の存在についてスクリーンする。
【０１２１】
トランスフェクトされていない細胞を、負の対照として使用する。受容体を発現する細胞へのリガンド結合の阻害による抗体の中和活性についてスクリーンすることができる。これは、免疫化のために使用される同じ細胞系、又は標的受容体を発現するもう１つの細胞系であり得る。ＩＬ−１２及びＩＬ−１８受容体に関しては、それぞれ、ヒト天然キラー系ＮＫ−９２及びヒト骨髄単球系ＫＧ−１を使用することができる（例７及び図８を参照のこと）。機能的受容体を発現する細胞においては、血清がまた、ＩＦＮ−γ生成を阻害するそれらの能力について試験され得る。
【０１２２】
標的受容体に対する抗体を生成するマウスからの脾臓細胞を、抗体−分泌性ハイブリドーマを生成するためにマウス骨髄腫細胞系により融合する。二特異的モノクローナル抗体の生成を促進するために（下記例８を参照のこと）、異なった薬剤耐性表現型を有する異なった骨髄腫系を、α−ＩＬ−１２及びα−ＩＬ−１８受容体抗体生成細胞との融合のために使用することができる。ハイブリドーマからの培養培地を、上記のようにして、標的受容体に対する抗体についてスクリーンする。中和抗体を生成するハイブリドーマをクローン化し、そして抗体調製物を、大規模ハイブリドーマ培養培地、又はハイブリドーマを注射されたマウスからの腹水のいずれかから生成する。抗体を、カラム支持マトリックスに結合されるプロテインＡ／Ｇ又は特異的抗原のいずれかを用いて、親和性カラムクロマトグラフィーにより精製する。
【０１２３】
ヒトモノクローナル抗体を生成するために、ヒト免疫グロブリンＨ鎖及びκＬ鎖遺伝子座の一部を担持し、そしてそれらの内因性対応物を欠いているトランスジェニックマウスを、初期免疫化のために使用する。ＧｅｎＰｈａｒｍ  Ｉｎｔ．，Ｉｎｃ．，により始めに開発されたＭｅｄａｒｅｘ’ｓ ＨｕＭＡｂ−マウス技法を、高い親和性ヒト抗体を生成するために使用した。
【０１２４】
４．ＥＡＥにおける、単独でのα−ＩＬ−１２、単独でのα−ＩＬ−１８、及びα−ＩＬ−１２及びα−ＩＬ−１８の効果
多発生硬化症（ＭＳ）の囓歯動物モデルにおけるＩＬ−１２及びＩＬ−１８の効果を評価するために、ＳＪＬマウスにおけるＰＬＰ−誘導された、養子移入ＥＡＥにおけるＩＬ−１２及びＩＬ−１８に対する抗体の効果を調べた。使用されるα−ＩＬ−１２及びα−ＩＬ−１８抗体は市販されており、そしてそれぞれ、ＩＬ−１２及びＩＬ−１８に応答してのネズミＴｈ１クローンＡｅ７におけるＩＦＮ−γ生成を生成するそれらの能力のために、インビトロで中和することが示されている。α−ＩＬ−１８抗体はまた、Ｐ． ａｃｎｅｓ／ＬＰＳ−処理されたマウスにおける肝臓損傷を低めるその能力のために、インビボで中和性であることが示された（例１０及び図９を参照のこと）。
【０１２５】
単独でのα−ＩＬ−１２：図３は、α−ＩＬ−１２処理が、ＰＢＳ又は対照ＩｇＧに比較して、開始をを遅延し、そして疾病評点を低めることを示す。また、異なった抗体を用いての、Ｌｅｏｎａｒｄなど，． Ｊ． Ｅｘｐ． Ｍｅｄ． １８１： ３８１−３９６， １９９５により報告される実験を参照のこと。
市販のヤギα−マウスＩＬ−１２ポリクローナル抗体を、示される日、２００μｇ／マウスでｉ．ｐ． 注射した。ＰＢＳを受けるか又は等量のヤギＩｇＧにより処理されたマウスに比較して、α−ＩＬ−１２処理されたマウスにおける、疾病の遅延された開始、及び低められたピークの臨床学的評点が存在した。α−ＩＬ−１２処理されたマウスの臨床学的評点は、ＩｇＧ処理されたマウス（ｎ＝９〜１０）とは有意に異なった（ｐ＜０．０５）。
【０１２６】
単独でのα−ＩＬ−１８：図４は、α−ＩＬ−１８処理が疾病開始に対して効果を有さないが、しかしＰＢＳ又は対照ＩｇＧ２ａに比較して、疾病評点を有意に悪化することを示す。
ＰＬＰ−誘発された養子移入ＥＡＥ研究を、市販のラットα−マウスＩＬ−８ポリクローナル抗体を用いて、ＳＪＬマウスにおいて行った。示される日、２５０μｇ／マウスをｉ．ｐ．注射した。ＰＢＳを受けるか又は等量のＩｇＧにより処理された対照マウスに比較して、α−ＩＬ−１８処理されたマウスにおいて疾病の開始に差異は存在しなかった。しかしながら、α−ＩＬ−１８処理されたマウスについての平均臨床学的評点は、ＰＢＳ又はＩｇＧ対照マウスよりも有意に高かった。しかしながら、α−ＩＬ−１８処理されたマウスについての平均臨床学的評点は、ＰＢＳ又はＩｇＧ対照マウスよりも有意に高かった。
【０１２７】
α−ＩＬ−１２及びα−ＩＬ−１８：図５は、組合されたα−ＩＬ−１２及びα−ＩＬ−１８処理が、α−ＩＬ−１２のみによる処理と同じ保護効果を有することを示す。
市販のヤギα−マウスＩＬ−１２ポリクローナル抗体を、示されるように、２００μｇ／マウスでｉ．ｐ． 注射した。もう１つのグループのマウスは、α−ＩＬ−１２及び市販のラットα−マウスＩＬ−１８モノクローナル抗体を受けた。示される日、２５０μｇ／マウスをｉ．ｐ．注射した。等量のヤギＩｇＧにより処理されたマウスに比較して、α−ＩＬ−１２及びα−ＩＬ−１８処理されたマウスにおいて疾病の遅延された開始及び低められたピークの臨床学的評点が存在した。α−ＩＬ−１２、並びにα−ＩＬ−１２及びα−ＩＬ−１８により処理されたマウスは、ＩｇＧ処理されたマウス（ｎ＝９〜１０）とは有意に異なったが（ｐ＜０．０５）、しかしお互いとは異ならなかった。
【０１２８】
５．ヒトＣＤ１４−消耗されたＰＢＭＣにおけるＩＬ−１２及びＩＬ−１８によるＩＦＮ−γ生成の相乗的誘発
サイトカインＩＬ−１２及びＩＬ−１８は、プロ−炎症Ｔｈ１エフェクターサイトカイン、例えばＩＦＮ−γの生成を補助することができる。図６は、ｃｏｎＡ−感作され、ＩＬ−１２／ＩＬ−１８刺激されたＣＤ１４−消耗されたヒトＰＢＭＣにおけるＩＦＮ−γ生成の相乗的誘発を示すアッセイを示す。
【０１２９】
４種の正常なドナーからの精製され、ｃｏｎＡ−感作されたヒトＣＤ１４−消耗されたＰＢＭＣを、２．５×１０５個の細胞／ｍｌで、９６ウェルプレートにプレートした。示されるように、ＤＥＸ（２０ｎＭ）、ＩＬ−１２（１０ｐＭ）又はＩＬ−１８（５０ｎＭ）を添加した。細胞を１６〜２４時間インキュベートし、そして培養培地におけるＩＦＮ−γの量を、Ｂｉｏｓｏｕｒｃｅ Ｃｙｔｏｓｃｒｅｅｎ ＩＦＮ−γ ＥＬＩＳＡキットを用いて決定した。
【０１３０】
６．ヒトＣＤ３＋及びＣＤ４＋Ｔ細胞におけるＩＬ−１２及びＩＬ−１８によるＩＦＮ−γ生成の相乗的誘発
ＣＤ３＋及びＣＤ４＋細胞を、ＣｏｎＡ−感作された、ＣＤ１４−消耗されたヒトＰＢＭＣから精製し、そしてＩＬ−１２及びＩＬ−１８に対して応答するそれらの能力を調べた。図７に示されるように、ＣＤ３＋及びＣＤ４＋Ｔ細胞はＩＬ−１２及びＩＬ−１８に一緒に応答してＩＦＮ−γを生成するが、しかし単独でのサイトカインに応答してはそれを生成しない。
【０１３１】
精製され、ｃｏｎＡ−感作されたヒトＣＤ１４−消耗されたＣＤ３＋又はＣＤ４＋Ｔ細胞（９５％以上の純度）を、５×１０５個の細胞／ｍｌで、９６ウェルプレートにプレートした。示されるように、５０μのＤＥＸ（２０ｎＭ）、ＩＬ−１２（１０ｐＭ）又はＩＬ−１８（５０ｎＭ）を添加した。細胞を１６〜２４時間インキュベートし、そして培養培地におけるＩＦＮ−γの量を、Ｂｉｏｓｏｕｒｃｅ Ｃｙｔｏｓｃｒｅｅｎ ＩＦＮ−γ ＥＬＩＳＡキットを用いて決定した。
【０１３２】
７．ＮＫ−９２細胞におけるＩＬ−１２及びＫＧ−１細胞のおけるＩＬ−１８によるＩＦＮ−γ生成の誘発
２種のアッセイは、単独でのＩＬ−１２及びＩＬ−１２の生活性を示す。ＮＫ−９２は、悪性ホドキンスリンパ腫を有する患者に起因する天然のキラー系である。ＫＧ−１は、急性骨髄性白血病を有する患者に起因する骨髄単球系である。ＮＫ−９２及びＫＧ−１細胞は、それぞれＩＬ−１２及びＩＬ−１８受容体を構成的に発現する。図８に示されるように、ＩＬ−１２及びＩＬ−１８は、それぞれＮＫ−９２及びＫＧ−１細胞においてＩＦＮ−γ生成を誘発する。
【０１３３】
ＫＧ−１細胞を、血清フリー培地において２４時間、培養し、そして次に、１×１０６個の細胞／ｍｌで９６ウェルプレートにプレートした。示されるように、ＩＬ−１８（５０ｎＭ）又はＤＥＸ（２０ｎＭ）を添加した。ＮＫ−９２細胞を、１００／ｍｌのＩＬ−２の存在下で培養し、そして２．５×１０４個の生存（トリパンブルー陰性）細胞／ｍｌで９６ウェルプレートにプレートした。示されるように、ＩＬ−１２（１０ｐＭ）又はＤＥＸ（２０ｎＭ）を添加した。ＫＧ−１及びＮＫ−９２細胞を１６〜２４時間インキュベートし、そして培養培地におけるＩＦＮ−γの量を、Ｂｉｏｓｏｕｒｃｅ Ｃｙｔｏｓｃｒｅｅｎ ＩＦＮ−γ ＥＬＩＳＡキットを用いて決定した。
【０１３４】
８．二特異的モノクローナル抗体の生成方法
二特異的モノクローナル抗体を、モノクローナル抗体を製造する当業者に良く知られている種々の方法により生成する（例えば、Ｃａｏなど．， Ｍ．Ｒ． Ｂｉｏｃｏｎｊｕｇａｔｅ Ｃｈｅｍ． ９： ６３５−６４４， １９９８を参照のこと）。ＩＬ−１２及びＩＬ−１８受容体を認識し、結合し、そして阻害する二特異的ヒトモノクローナル抗体を生成する好ましい方法は、２腫のハイブリドーマを融合することにより形成されるクオドローマを生成することである（Ｃａｏ， Ｙ． など．， Ｊ． Ｉｍｍｕｎｏｌ． Ｍｅｔｈｏｄｓ １８７： １−７， １９９５に記載される）。この二特異的抗体を、グラジエントチオトロフィック親和性クロマトグラフィーにより、クオドローマから精製できる（例えば、Ｋｒｅｕｎｔｚ， Ｆ．Ｔ． など．， Ｊ． Ｃｈｒａｍａｔｏｇ． ７１４： １６１−１７０， １９９８に記載のように）。
【０１３５】
９．二特異的モノクローナル抗体の活性を示すためのインビトロアッセイ
ＩＬ−１２／ＩＬ−１８受容体に対するモノクローナル抗体又は二特異的ヒトモノクローナル抗体の中和活性を示すために使用され得るインビトロアッセイは、例えば例５，６及び７，及び図６，７及び８に記載されている。
【０１３６】
１０．二特異的モノクローナル抗体の活性を示すためのインビボモデル
ＩＬ−１２／ＩＬ−１８受容体に対するモノクローナル抗体又は二特異的ヒトモノクローナル抗体の中和活性を示すために使用され得るインビボモデルは、例えばＢａｌｂ／ＣマウスにおけるＬＰＳ誘発された内毒素ショック；ヌードマウスにおけるＰ． ａｃｎｅｓ／ＬＰＳ−誘発された肝臓損傷図９を参照のこと）；ＳＩＬマウスにおけるＰＬＰ−誘発された養子移入ＥＡＥ（図３〜５を参照のこと）；及びＤＢＡ／１マウスにおけるＩＩ型コラーゲン誘発された関節炎を包含する。
【０１３７】
図９は、ＲＤＩα−ＩＬ−１８により処理されるマウスが、Ｐ． ａｃｎｅｓ／ＬＰＳ肝臓損傷モデルにおいてより低い病理学を示すことを示す。雄ｎｕ／ｎｕ Ｂａｌｂ／ｃマウスに、１ｍｇの加熱殺害されたＰ． ａｃｎｅｓを注射し（ｉｖ）； ＲＤＩα−ＩＬ−１８又は正常なラットＩｇＧを７日後に注射し；ＬＰＳ（１μｇ）を、抗体の１時間後に注射し；マウスを２４時間後に殺害し；そして肝臓を組織学的分析にゆだねた。ＲＤＩα−ＩＬ−１８抗体により処理された動物からの肝臓は、より低い病理学的評点を有した。それらの変化は、統計学的に有意であった（有意なレベル：５％、ｎ＝６／グループ／グループ、ｐ値＝０．０３４６）。
【０１３８】
前述の例は、本発明の遺伝学的に又は特異的に記載される反応体及び／又は操作条件と前述の例に使用されるそれらとを置換することによって、類似する好結果を伴なって、反復され得る。
前述の記載から、当業者は、本発明の必須の特徴を容易に確かめることができ、そして本発明の範囲内で、本発明の種々の変更及び修飾を行うことができる。
【図面の簡単な説明】
【図１】
図１は、二特異的抗体のいくつかの例を示す。パネルＡは、化学的架橋を示し；パネルＢは付加される成分を通しての結合を示し；パネルＣは単鎖ポリペプチドを示し；そしてパネルＤは細胞融合により形成される分子を示す。
【図２】
図２は、多特異的抗体のいくつかの例を示す。パネルＡは、３又はそれ以上の特異性を有する抗体を示し；パネルＢは、毒性又は治療用ペプチドを含んで成る多特異的抗体を示す。
【図３】
図３は、ＥＡＥにおけるα−ＩＬ−１２処理の効果を示す。
【図４】
図４は、ＥＡＥにおけるα−ＩＬ−１８処理の効果を示す。
【図５】
図５は、ＥＡＥにおけるα−ＩＬ−１２及びα−ＩＬ−１８処理の効果を示す。
【図６】
図６は、ＩＬ−１２及びＩＬ−１８がＣＤ１４−消耗されたヒト末梢血液単核細胞（ＰＭＢＣ）におけるＩＦＮ−γ生成を相乗的に誘発できることを示す。
【図７】
図７は、ＩＬ−１２及びＩＬ−１８が、ＣＤ３＋及びＣＤ４＋Ｔ細胞においてＩＦＮ−γ生成を相乗的に誘発できることを示す。
【図８】
図８は、ＩＬ−１８刺激されたＫＧ−１細胞及びＩＬ−１２刺激されたＮＫ−９２細胞におけるＩＦＮ−γ生成を示す。
【図９】
図９は、α−ＩＬ−１８モノクローナル抗体の活性を試験するためのインビボモデルを示す。
【図１Ａ】
2004521654.tif 000002
【図１Ｂ】
2004521654.tif 000003
【図１Ｄ】
2004521654.tif 000004
【図２Ａ】
2004521654.tif 000005
【図２Ｂ】
2004521654.tif 000006
【図３】
2004521654.tif 000007
【図４】
2004521654.tif 000008
【図５】
2004521654.tif 000009
【図６】
2004521654.tif 000010
【図７】
2004521654.tif 000011
【図８】
2004521654.tif 000012
【国際公開パンフレット】
2004521654.tif 000013
2004521654.tif 000014
2004521654.tif 000015
2004521654.tif 000016
2004521654.tif 000017
2004521654.tif 000018
2004521654.tif 000019
2004521654.tif 000020
2004521654.tif 000021
2004521654.tif 000022
2004521654.tif 000023
2004521654.tif 000024
2004521654.tif 000025
2004521654.tif 000026
2004521654.tif 000027
2004521654.tif 000028
2004521654.tif 000029
2004521654.tif 000030
2004521654.tif 000031
2004521654.tif 000032
2004521654.tif 000033
2004521654.tif 000034
2004521654.tif 000035
2004521654.tif 000036
2004521654.tif 000037
2004521654.tif 000038
2004521654.tif 000039
2004521654.tif 000040
2004521654.tif 000041
2004521654.tif 000042
2004521654.tif 000043
2004521654.tif 000044
2004521654.tif 000045
2004521654.tif 000046
2004521654.tif 000047
2004521654.tif 000048
2004521654.tif 000049
2004521654.tif 000050
2004521654.tif 000051
2004521654.tif 000052
2004521654.tif 000053
2004521654.tif 000054
2004521654.tif 000055
2004521654.tif 000056
2004521654.tif 000057
2004521654.tif 000058
2004521654.tif 000059
2004521654.tif 000060
2004521654.tif 000061
2004521654.tif 000062
2004521654.tif 000063
2004521654.tif 000064
【国際公開パンフレット（コレクトバージョン）】
2004521654.tif 000065
【国際調査報告】
2004521654.tif 000066
2004521654.tif 000067
2004521654.tif 000068
2004521654.tif 000069
2004521654.tif 000070